(57)【要約】【課題】  短パルスの光に対して、群速度遅延を制御でき、かつ、その波長分散を制御できる小型低損失の光制御素子を提供する。【解決手段】  欠陥導波路を有するフォトニック結晶からなる光制御素子における欠陥導波路３を、該欠陥導波路３の近傍におけるフォトニック結晶の高屈折率部分（濃度が高い領域）と低屈折率部分（濃度が低い領域）との実効屈折率差が導波方向に沿って連続的または段階的に変化する構造を有する屈折率分布型欠陥導波路３として形成する。【選択図】    図１
2005181950.tif 000002
【特許請求の範囲】
【請求項１】
欠陥導波路を有するフォトニック結晶からなる光制御素子において、
該欠陥導波路は、該欠陥導波路の近傍におけるフォトニック結晶の高屈折率部分と低屈折率部分との実効屈折率差が導波方向に沿って連続的に変化する構造を有する屈折率分布型欠陥導波路として形成されていることを特徴とする光制御素子。
【請求項２】
欠陥導波路を有するフォトニック結晶からなる光制御素子において、
該欠陥導波路は、該欠陥導波路の近傍におけるフォトニック結晶の高屈折率部分と低屈折率部分との屈折率差が導波方向に沿って連続的に変化する構造を有する屈折率分布型欠陥導波路として形成されていることを特徴とする光制御素子。
【請求項３】
欠陥導波路を有するフォトニック結晶からなる光制御素子において、
該欠陥導波路は、該欠陥導波路の近傍におけるフォトニック結晶の高屈折率部分と低屈折率部分との実効屈折率差が導波方向に沿って段階的に変化する構造を有する屈折率分布型欠陥導波路として形成されていることを特徴とする光制御素子。
【請求項４】
欠陥導波路を有するフォトニック結晶からなる光制御素子において、
該欠陥導波路は、該欠陥導波路の近傍におけるフォトニック結晶の高屈折率部分と低屈折率部分との屈折率差が導波方向に沿って段階的に変化する構造を有する屈折率分布型欠陥導波路として形成されていることを特徴とする光制御素子。
【請求項５】
請求項１ないし４のいずれか一記載の光制御素子において、
前記屈折率分布型欠陥導波路は、該屈折率分布型欠陥導波路を導波させる光の波長に対して、フォトニックバンドギャップ内にバンド端が存在するバンドを有することを特徴とする光制御素子。
【請求項６】
請求項１または５記載の光制御素子において、
前記屈折率分布型欠陥導波路は、該屈折率分布型欠陥導波路の導波方向に沿った実効屈折率差の変化が、前記フォトニック結晶の構造変化によって生じせしめられているフォトニック結晶構造を有することを特徴とする光制御素子。
【請求項７】
請求項６記載の光制御素子において、
導波方向に沿って膜厚が異なる薄膜部分を有することを特徴とする光制御素子。
【請求項８】
請求項１または７記載の光制御素子において、
導波方向に沿って実効屈折率差が増加する部分と減少する部分とを有することを特徴とする光制御素子。
【請求項９】
請求項１ないし８のいずれか一記載の光制御素子において、
前記屈折率分布型欠陥導波路の近傍における前記フォトニック結晶の格子配置に歪みを有し、この歪みが導波方向に沿って変化する構造を有することを特徴とする光制御素子。
【請求項１０】
請求項９記載の光制御素子において、
前記屈折率分布型欠陥導波路の近傍における前記フォトニック結晶の孔を半径ｒ、孔のピッチをａとしたとき、ｒ／ａ値が該屈折率分布型欠陥導波路近傍において導波方向に沿って変化する構造を有することを特徴とする光制御素子。
【請求項１１】
請求項９又１０記載の光制御素子において、
前記屈折率分布型欠陥導波路の近傍における前記フォトニック結晶の孔のピッチをａとしたとき、ａ値が該屈折率分布型欠陥導波路の近傍において導波方向に沿って変化する構造を有することを特徴とする光制御素子。
【請求項１２】
請求項１ないし１１のいずれか一記載の光制御素子において、
前記屈折率分布型欠陥導波路の近傍に、該屈折率分布型欠陥導波路と接続可能でかつこの屈折率分布型欠陥導波路とは別のフォトニック結晶欠陥構造を有することを特徴とする光制御素子。
【請求項１３】
請求項１２記載の光制御素子において、
前記フォトニック結晶欠陥構造は、前記屈折率分布型欠陥導波路と接続可能な中間接続欠陥構造と、該中間接続欠陥構造と接続可能で該中間欠陥構造とは別のフォトニック結晶接続欠陥構造と、を有することを特徴とする光制御素子。
【請求項１４】
請求項１２または１３記載の光制御素子において、
前記フォトニック結晶接続欠陥構造は、欠陥導波路からなる接続欠陥導波路であることを特徴とする光制御素子。
【請求項１５】
請求項１４記載の光制御素子において、
前記接続欠陥導波路は、方向性結合器により結合されていることを特徴とする光制御素子。
【請求項１６】
請求項１４または１５記載の光制御素子において、
前記接続欠陥導波路は、接続される屈折率分布型欠陥導波路とは別の屈折率分布型欠陥導波路であることを特徴とする光制御素子。
【請求項１７】
請求項１６記載の光制御素子において、
２つの異なる前記屈折率分布型欠陥導波路が、互いのフォトニックバンドギャップ内バンド端の近傍で重なり部分を有するバンドギャップ端を、それぞれ欠陥導波路を導波させる光の波長に対して有することを特徴とする光制御素子。
【請求項１８】
請求項１６または１７記載の光制御素子において、
２つの異なる前記屈折率分布型欠陥導波路のフォトニックバンドギャップ内のバンドは、バンド端に対して上下反対側にあることを特徴とする光制御素子。
【請求項１９】
請求項１８記載の光制御素子において、
２つの異なる前記屈折率分布型欠陥導波路のフォトニックバンドギャップ内のバンドは、バンド端付近においてバンド端に対して上下略対称となる部分を有することを特徴とする光制御素子。
【請求項２０】
請求項１６または１７記載の光制御素子において、
２つの異なる前記屈折率分布型欠陥導波路のフォトニックバンドギャップ内のバンドは、バンド端に対して上下同一側にあることを特徴とする光制御素子。
【請求項２１】
請求項２０記載の光制御素子において、
２つの異なる前記屈折率分布型欠陥導波路のフォトニックバンドギャップ内のバンドは、バンド端付近において略同一となる部分を有することを特徴とする光制御素子。
【請求項２２】
請求項１ないし２１のいずれか一記載の光制御素子において、
前記屈折率欠陥導波路の入出射側の両側またはその一方の側に、該屈折率分布型欠陥導波路とは別の分散補償補正素子を設けたことを特徴とする光制御素子。
【請求項２３】
請求項２２記載の光制御素子において、
前記分散補償補正素子は、フォトニック結晶欠陥導波路からなることを特徴とする光制御素子。
【請求項２４】
請求項２３記載の光制御素子において、
前記分散補償補正素子は、分散補償補正を行う量を可変制御する手段を有することを特徴とする光制御素子。
【請求項２５】
請求項１ないし２４のいずれか一記載の光制御素子において、
前記屈折率分布型欠陥導波路に、非線形光学効果による光制御部を有することを特徴とする光制御素子。
【請求項２６】
請求項１ないし２４のいずれか一記載の光制御素子において、
前記屈折率分布型欠陥導波路に、電気光学効果による光制御部を有することを特徴とする光制御素子。
【請求項２７】
請求項１ないし２４のいずれか一記載の光制御素子において、
前記屈折率分布型欠陥導波路に、磁気光学効果による光制御部を有することを特徴とする光制御素子。
【請求項２８】
請求項１ないし２７のいずれか一記載の光制御素子において、
前記屈折率分布型欠陥導波路の温度を制御する温度制御手段を有することを特徴とする光制御素子。
【発明の詳細な説明】
【技術分野】
【０００１】
本発明は、フォトニック結晶を用いた光制御素子に係り、より具体的には、１０Ｇｂｐｓを超える光伝送分野における高速高容量光通信、高速光信号処理に用いる小型高機能の光制御素子に関する。
【背景技術】
【０００２】
高速高容量光通信、高速光信号処理を行うに際して、ファイバなどの伝送路中で光信号パルスが広がるといった分散や、信号毎の到達時間がばらつくスキューといった問題が生じ、これらの問題が通信の高速化を妨げている。このような問題を解決するには、分散や、到達時間を決める光パルスの群遅延を制御できる素子が必要である。このような素子として、従来、特異な分散特性を持たせた光ファイバを利用する手法が開発されている。この手法は、特異な分散を有する光ファイバの中を、群遅延が適切になるように調整して光を伝播させることにより実現されている。
【０００３】
しかしながら、上記手法を採用する場合には、光ファイバとして長い光ファイバを利用することが必要である。このため、光制御素子それ自体が非常に大きくなり、また、光ファイバの分散特性に自由度が小さいため、高度の信号処理や多くの線路の並列処理を可能にするのに必要な装置の小型化、集積化を実現することができないという問題がある。
【０００４】
分散補償に関しては、チャープ構造ファイバグレーティングを利用して、精密な分散制御や分散補償量の調整を可能にする研究もある。しかし、分散補償をするためにはメートルオーダの長い光ファイバを用いる必要があり、装置の小型化、集積化を実現することはできない。さらに、このチャープ構造ファイバグレーティングを用いた素子は必ず入射光を反射させて用いているため、高効率を得るためにサーキュレータが必須となり、この点でも装置の小型、集積化を大きく妨げる。
【０００５】
これらの問題を解決するための、近年、フォトニック結晶を用いた分散や群速度遅延効果が着目されている。フォトニック結晶自体、もしくはそれに線状の欠陥を導入した欠陥導波路とよばれる光導波路では、周波数と波数との関係を表す分散特性に大きな特異性が現れる。フォトニック結晶を用いた分散補償素子は、例えば、特許文献１、２に記載されている。
【０００６】
しかしながら、これらの特許文献１、２に記載されている分散補償素子は、フォトニック結晶中において導波路構造に伝播光を閉じ込めていないので、角度依存が大きく信頼性に問題がある。しかも、装置の小型化が困難である。これらの点から、実用的ではない。
【０００７】
これに対し、欠陥導波路ではバンド端と呼ばれるブリルアンゾーン端では零群速度となることが理論的に予測され、実際にこのバンド端付近で真空中の光の速度の１／９０の低群速度が観測されている。しかしながら、この欠陥導波路は、一般に非常に大きな波長分散値を有し、スペクトル幅に広がりをもつ短パルスを入射すると群速度は遅くできるものの、この波長分散によりパルスが大きく広がってしまうという問題が生じる。このため、単純な欠陥導波路を用いて分散制御や群速度制御をする素子を実現することは困難である。
【０００８】
一方、点状の欠陥をとびとびに連続させた結合欠陥導波路と呼ばれている構造では、比較的大きな分散が比較的広い帯域で得られ、これらの分散値は光ファイバがもつ値の６桁程度大きいため、ｋｍオーダの長さが必要であったファイバ型分散補償素子が、ｍｍオーダにまで縮小される可能性がある。この結合欠陥導波路を用いた分散補償器は、例えば特許文献３に記載されている。図３９に、特許文献３に記載されている結合欠陥導波路を用いた分散補償器の例を示す。図３９においては、分散補償器が、通常導波路と結合欠陥を有する分散補償導波路とにより構成され、分散補償導波路はその構成にもよるが２０ｐｓ／ｎｍ／ｍｍと計算されている。
【０００９】
しかしながら、従来から研究されている作製が容易なスラブ型フォトニック結晶においては、結合欠陥導波路を作製すると、光の進行方向の周期が長くなるためにライトコーンと呼ばれる光の漏れ条件を避けることができず、損失が非常に大きいために実用に用いることは全くできない。
【００１０】
一方、近年では、多層膜からなる１次元周期構造を用いて、多層膜の膜に対して垂直方向に光を伝播させることにより、結合欠陥導波路と同様の原理で分散制御素子を構成することが考案されている。しかしながら、この方式では、光を導波路ではなく空間伝播させているために、装置の小型、集積化は困難である。
【００１１】
これに対して、本出願の発明者により、新規のチャープ構造を有するフォトニック結晶が考案されており（非特許文献１、２）、線欠陥導波路の円孔の直径を徐々に変化させる構造を発表している。この新規構造により、特定の伝播周波数に対して、バンド端による零群速度となることを理論と実験により検討したものであり、分散制御および群速度制御を行える可能性を発表した。
【００１２】
しかしながら、短パルスを入射させた場合には円孔といった特定の離散的な波長成分の局在化が生じ、反射されたパルスの波形が広がったり、歪んだりする場合が生じていた。
【００１３】
【特許文献１】特開２０００−１２１９８７公報
【特許文献２】特開２０００−２２４１０９公報
【特許文献３】特開２００２−３３３５３６公報
【非特許文献１】第６４回応用物理学会学術講演会；１ｐＺＭ１４；２００３年１０月１日
【非特許文献２】第５０回応用物理関係連合講演会；２８ｐＹＮ１；２００３年３月２８日
【発明の開示】
【発明が解決しようとする課題】
【００１４】
本発明は、上記問題点を解決することを課題とする。つまり、本発明の課題は、短パルスに群速度遅延を制御できる小型低損失の光制御素子を提供することである。
【００１５】
請求項１、２に係る発明が解決する課題は、大きな分散制御効果と群速度遅延効果を有する小型低損失の光制御素子を提供することにある。
【００１６】
請求項３、４に係る発明が解決する課題は、構成材料の屈折率制御が簡単となり、より作製の容易な分散制御効果と群速度遅延効果を有する小型低損失の光制御素子を提供することにある。
【００１７】
請求項５に係る発明が解決する課題は、非常に大きな群速度遅延効果を有する光制御素子を提供することにある。
【００１８】
請求項６に係る発明が解決する課題は、構成材料の屈折率制御による実効屈折率分布の形成を不要とした屈折率が一定の単一組成材料による分散制御効果と群速度遅延効果を有する光制御素子を提供することにある。
【００１９】
請求項７に係る発明が解決する課題は、請求項６における構造パラメータにより実効屈折率分布を形成する場合に、複雑な微細構造を用いることのない、より作製の容易な分散制御効果と群速度遅延効果を有する光制御素子を提供することにある。
【００２０】
請求項８に係る発明が解決する課題は、より広帯域の波長に対して分散制御効果と群速度遅延効果を有する光制御素子を提供することにある。
【００２１】
請求項９に係る発明が解決する課題は、より高精度の分散制御を行える光制御素子を提供することにある。
【００２２】
請求項１０、１１に係る発明が解決する課題は、請求項９に係る発明が解決する課題を実現する光制御素子の作製をより容易とする光制御素子を提供することにある。
【００２３】
請求項１２に係る発明が解決する課題は、分散制御効果と群速度遅延効果により制御された光を取り出したり、さらにこの取り出した光を分散制御効果と群速度遅延効果を有する欠陥により複合制御したりすることができる光制御素子を提供することにある。
【００２４】
請求項１３に係る発明が解決する課題は、分散制御効果と群速度遅延効果により制御された光の中から、波長を選別して取り出すことができる光制御素子を提供することにある。
【００２５】
請求項１４に係る発明が解決する課題は、分散制御効果と群速度遅延効果により制御された光を、再び同じフォトニック結晶において導波させることで集積して小型化できる光制御素子を提供することにある。
【００２６】
請求項１５に係る発明が解決する課題は、分散制御効果と群速度遅延効果により制御された光を、より高い光利用効率で再び同じフォトニック結晶において導波させることができ、ノイズに強くより信頼性の高い小型化できる光制御素子を提供できる。
【００２７】
請求項１６に係る発明が解決する課題は、大きな分散制御効果と群速度遅延効果を有しながらも、より広い波長範囲で高い光利用効率で再び同じフォトニック結晶において導波させることができ、より広い波長範囲でノイズに強く信頼性の高い光制御素子を提供することにある。
【００２８】
請求項１７に係る発明が解決する課題は、大きな分散制御効果と群速度遅延効果を有しながらも、フォトニック結晶への光の入射導波路と出射導波路とを別にできる透過型素子として光分離手段の不要な小型で低損失の光制御素子を提供することにある。
【００２９】
請求項１８に係る発明が解決する課題は、非常に大きな群速度遅延効果を有しながらも波長分散の小さく、かつフォトニック結晶への光の入射導波路と出射導波路とを別にできる透過型の光制御素子を提供することにある。
【００３０】
請求項１９に係る発明が解決する課題は、非常に大きな群速度遅延効果を有しながらも波長分散がより一層に小さく、かつフォトニック結晶への光の入射導波路と出射導波路とを別にでき透過型の光制御素子を提供することにある。
【００３１】
請求項２０に係る発明が解決する課題は、大きな分散制御効果と群速度遅延効果を有する反射型素子でありながらも、フォトニック結晶への光の入射導波路とを出射導波路と別にでき、かつ、光分離手段の不要な小型で低損失の光制御素子を提供することにある。
【００３２】
請求項２１に係る発明が解決する課題は、非常に大きな群速度遅延効果を有しながらも波長分散の小さく、かつフォトニック結晶への光の入射導波路と出射導波路とを別にできる光制御素子を提供することにある。
【００３３】
請求項２２、２３、２４に係る発明が解決する課題は、大きな分散制御効果と群速度遅延効果を、より高精度に制御することができる光制御素子を提供することにある。
【００３４】
請求項２５に係る発明が解決する課題は、大きな分散制御効果と群速度遅延効果を、フォトニック結晶外部または内部からの光により制御および利用することができる光制御素子を提供することにある。
【００３５】
請求項２６に係る発明が解決する課題は、大きな分散制御効果と群速度遅延効果を、フォトニック結晶外部または内部からの電界により制御および利用することができる光制御素子を提供することにある。
【００３６】
請求項２７に係る発明が解決する課題は、大きな分散制御効果と群速度遅延効果を、フォトニック結晶外部からの磁界により制御および利用することができる光制御素子を提供することにある。
【００３７】
請求項２８に係る発明が解決する課題は、大きな分散制御効果と群速度遅延効果を、フォトニック結晶の温度変化により制御することができる光制御素子を提供することにある。
【課題を解決するための手段】
【００３８】
請求項１、２に係る発明が解決する課題は、請求項１記載の「欠陥導波路を有するフォトニック結晶からなる光制御素子において、該欠陥導波路は、該欠陥導波路の近傍におけるフォトニック結晶の高屈折率部分と低屈折率部分との実効屈折率差が導波方向に沿って連続的に変化する構造を有する屈折率分布型欠陥導波路として形成されていることを特徴とする光制御素子。」、または、請求項２記載の「欠陥導波路を有するフォトニック結晶からなる光制御素子において、該欠陥導波路は、該欠陥導波路の近傍におけるフォトニック結晶の高屈折率部分と低屈折率部分との屈折率差が導波方向に沿って連続的に変化する構造を有する屈折率分布型欠陥導波路として形成されていることを特徴とする光制御素子。」によって解決される。
【００３９】
請求項３、４に係る発明が解決する課題は、請求項３記載の「欠陥導波路を有するフォトニック結晶からなる光制御素子において、該欠陥導波路は、該欠陥導波路の近傍におけるフォトニック結晶の高屈折率部分と低屈折率部分との実効屈折率差が導波方向に沿って段階的に変化する構造を有する屈折率分布型欠陥導波路として形成されていることを特徴とする光制御素子。」または、請求項４記載の「欠陥導波路を有するフォトニック結晶からなる光制御素子において、該欠陥導波路は、該欠陥導波路の近傍におけるフォトニック結晶の高屈折率部分と低屈折率部分との屈折率差が導波方向に沿って段階的に変化する構造を有する屈折率分布型欠陥導波路として形成されていることを特徴とする光制御素子。」によって解決される。
【００４０】
請求項５に係る発明が解決しようとする課題は、請求項５記載の「請求項１ないし４のいずれか一記載の光制御素子において、前記屈折率分布型欠陥導波路は、該屈折率分布型欠陥導波路を導波させる光の波長に対して、フォトニックバンドギャップ内にバンド端が存在するバンドを有することを特徴とする光制御素子。」によって解決される。
【００４１】
請求項６に係る発明が解決しようとする課題は、請求項６記載の「請求項１または５記載の光制御素子において、前記屈折率分布型欠陥導波路は、該屈折率分布型欠陥導波路の導波方向に沿った実効屈折率差の変化が、前記フォトニック結晶の構造変化によって生じせしめられているフォトニック結晶構造を有することを特徴とする光制御素子。」によって解決される。
【００４２】
請求項７に係る発明が解決しようとする課題は、請求項７記載の「請求項６記載の光制御素子において、導波方向に沿って膜厚が異なる薄膜部分を有することを特徴とする光制御素子。」によって解決される。
【００４３】
請求項８に係る発明が解決しようとする課題は、請求項８記載の「請求項１または７記載の光制御素子において、導波方向に沿って実効屈折率差が増加する部分と減少する部分とを有することを特徴とする光制御素子。」によって解決される。
【００４４】
請求項９に係る発明が解決しようとする課題は、請求項９記載の「請求項１ないし８のいずれか一記載の光制御素子において、前記屈折率分布型欠陥導波路の近傍における前記フォトニック結晶の格子配置に歪みを有し、この歪みが導波方向に沿って変化する構造を有することを特徴とする光制御素子。」によって解決される。
【００４５】
請求項１０、１１に係る発明が解決しようとする課題は、請求項１０記載の「請求項９記載の光制御素子において、前記屈折率分布型欠陥導波路の近傍における前記フォトニック結晶の孔を半径ｒ、孔のピッチをａとしたとき、ｒ／ａ値が該屈折率分布型欠陥導波路近傍において導波方向に沿って変化する構造を有することを特徴とする光制御素子。」、または、請求項１１記載の「請求項９又１０記載の光制御素子において、前記屈折率分布型欠陥導波路の近傍における前記フォトニック結晶の孔のピッチをａとしたとき、ａ値が該屈折率分布型欠陥導波路の近傍において導波方向に沿って変化する構造を有することを特徴とする光制御素子。」によって解決される。
【００４６】
請求項１２に係る発明が解決しようとする課題は、請求項１２記載の「請求項１ないし１１のいずれか一記載の光制御素子において、前記屈折率分布型欠陥導波路の近傍に、該屈折率分布型欠陥導波路と接続可能でかつこの欠陥導波路とは別のフォトニック結晶欠陥構造を有することを特徴とする光制御素子。」によって解決される。
【００４７】
請求項１３に係る発明が解決しようとする課題は、請求項１３記載の「請求項１２記載の光制御素子において、前記フォトニック結晶欠陥構造は、前記屈折率分布型欠陥導波路と接続可能な中間接続欠陥構造と、該中間接続欠陥構造と接続可能で該中間欠陥構造とは別のフォトニック結晶接続欠陥構造と、を有することを特徴とする光制御素子。」によって解決される。
【００４８】
請求項１４に係る発明が解決しようとする課題は、請求項１４記載の「請求項１２または１３記載の光制御素子において、前記フォトニック結晶接続欠陥構造は、欠陥導波路からなる接続欠陥導波路であることを特徴とする光制御素子。」によって解決される。
【００４９】
請求項１５に係る発明が解決しようとする課題は、請求項１５記載の「請求項１４記載の光制御素子において、前記接続欠陥導波路は、方向性結合器により結合されていることを特徴とする光制御素子。」によって解決される。
【００５０】
請求項１６に係る発明が解決しようとする課題は、請求項１６記載の「請求項１４または１５記載の光制御素子において、前記接続欠陥導波路は、接続される屈折率分布型欠陥導波路とは別の屈折率分布型欠陥導波路であることを特徴とする光制御素子。」によって解決される。
【００５１】
請求項１７に係る発明が解決しようとする課題は、請求項１７記載の「請求項１６記載の光制御素子において、２つの異なる前記屈折率分布型欠陥導波路が、互いのフォトニックバンドギャップ内バンド端の近傍で重なり部分を有するバンドギャップ端を、それぞれ欠陥導波路を導波させる光の波長に対して有することを特徴とする光制御素子。」によって解決される。
【００５２】
請求項１８に係る発明が解決しようとする課題は、請求項１８記載の「請求項１６または１７記載の光制御素子において、２つの異なる前記屈折率分布型欠陥導波路のフォトニックバンドギャップ内のバンドは、バンド端に対して上下反対側にあることを特徴とする光制御素子。」によって解決される。
【００５３】
請求項１９に係る発明が解決しようとする課題は、請求項１９記載の「請求項１８記載の光制御素子において、２つの異なる前記屈折率分布型欠陥導波路のフォトニックバンドギャップ内のバンドは、バンド端付近においてバンド端に対して上下略対称となる部分を有することを特徴とする光制御素子。」によって解決される。
【００５４】
請求項２０に係る発明が解決しようとする課題は、請求項２０記載の「請求項１６または１７記載の光制御素子において、２つの異なる前記屈折率分布型欠陥導波路のフォトニックバンドギャップ内のバンドは、バンド端に対して上下同一側にあることを特徴とする光制御素子。」によって解決される。
【００５５】
請求項２１に係る発明が解決しようとする課題は、請求項２１記載の「請求項２０記載の光制御素子において、２つの異なる前記屈折率分布型欠陥導波路のフォトニックバンドギャップ内のバンドは、バンド端付近において略同一となる部分を有することを特徴とする光制御素子。」によって解決される。
【００５６】
請求項２２、２３、２４に係る発明が解決しようとする課題は、請求項２２記載の「請求項１ないし２１のいずれか一記載の光制御素子において、前記屈折率欠陥導波路の入出射側の両側またはその一方の側に、該屈折率分布型欠陥導波路とは別の分散補償補正素子を設けたことを特徴とする光制御素子。」、または、請求項２３記載の「請求項２２記載の光制御素子において、前記分散補償補正素子は、フォトニック結晶欠陥導波路からなることを特徴とする光制御素子。」、または、請求項２４記載の「請求項２３記載の光制御素子において、前記分散補償補正素子は、分散補償補正を行う量を可変制御する手段を有することを特徴とする光制御素子。」によって解決される。
【００５７】
請求項２５に係る発明が解決しようとする課題は、請求項２５記載の「請求項１ないし２４のいずれか一記載の光制御素子において、前記屈折率分布型欠陥導波路に、非線形光学効果による光制御部を有することを特徴とする光制御素子。」によって解決される。
【００５８】
請求項２６に係る発明が解決しようとする課題は、請求項２６記載の「請求項１ないし２４のいずれか一記載の光制御素子において、前記屈折率分布型欠陥導波路に、電気光学効果による光制御部を有することを特徴とする光制御素子。」によって解決される。
【００５９】
請求項２７に係る発明が解決しようとする課題は、請求項２７記載の「請求項１ないし２４のいずれか一記載の光制御素子において、前記屈折率分布型欠陥導波路に、磁気光学効果による光制御部を有することを特徴とする光制御素子。」によって解決される。
【００６０】
請求項２８に係る発明が解決しようとする課題は、請求項２８記載の「請求項１ないし２７のいずれか一記載の光制御素子において、前記屈折率分布型欠陥導波路の温度を制御する温度制御手段を有することを特徴とする光制御素子。」によって解決される。
【発明の効果】
【００６１】
本発明は、短パルスの光に対して、群速度遅延を制御でき、かつ、その波長分散を制御できる小型低損失の光制御素子を提供する。
【発明を実施するための最良の形態】
【００６２】
本発明の光制御素子の実施の形態を説明する。
【００６３】
［請求項１、２に係る発明に対応する実施の形態］
第１の実施形態を図１および図２に基づいて説明する。
【００６４】
図１は、本発明のスラブ型２次元フォトニック結晶からなる光制御素子を模式的に示した構成図である。図１において、１は屈折率分布を有する薄膜であり、２はフォトニック結晶の孔としてのホールであり、３は欠陥導波路であり、４は欠陥導波路を導波する導波光である。図１におけるフォトニック結晶は、高屈折率の材料からなる薄膜１と低屈折率の材料となるホール２とから構成され、さらに薄膜１は、図１中の左側がこの薄膜１内において相対的に高屈折率となり、図１中の右側は同じく相対的に低屈折率となる屈折率分布を有する材料からなる。この薄膜１の屈折率分布は、フォトニック結晶に設けたホール２が存在しない欠陥導波路３を導波する導波光４の導波路方向に対して、薄膜１とホール２との材料に基づく屈折率または実効的屈折率差が連続的に変化するような屈折率分布となるように構成されている。
【００６５】
なお、図中、高屈折率と低屈折率とは濃淡変化で示す。高屈折率の部分は濃淡を濃くして示し、低屈折率の部分は濃淡を薄くして示す（以下、同様）。
【００６６】
図２は、図１に示したスラブ型２次元フォトニック結晶からなる光制御素子の側面の一例を模式的に示したものである。図２において、１は屈折率分布を有する薄膜であり、２はホールであり、５は基板であり、６はアンダークラッド層である。図２において、ホール２は薄膜１内に垂直に円柱状に設けられており、その上部は開口している。アンダークラッド層６は、薄膜１よりも屈折率が低い材料から構成されて薄膜１がコア層となる導波層となっており、またこのアンダークラッド層６の下に基板５が設けられている。図２のフォトニック結晶の側面構造は、薄膜１が屈折率分布を有する以外は従来のスラブ型２次元フォトニック結晶と同様の構成であり、この従来の微細加工により技術を用いてスラブ型２次元フォトニック結晶の形状自体を形成することは可能である。
【００６７】
以下、本実施の形態のフォトニック結晶からなる光制御素子が、光を制御できる作用を有することを説明する。最初に、従来のフォトニック結晶の光制御作用に関して説明する。フォトニック結晶は、一般的には、屈折率が光の波長オーダで一定の周期性を有する構成からなる材料において、フォトニックバンドギャップと呼ばれるフォトンが存在しない領域を有していることで知られている。図３は、欠陥のない一般的なフォトニック結晶の周期性のある配列を説明するものであり、図３（ａ）は、フォトニック結晶の構成を特徴づける実空間におけるホールの周期とホール径を模式的に示した図であり、図３（ｂ）は、図３（ａ）の実空間における周期に対応する波数空間の関係を示した図である。図３（ａ）において、フォトニック結晶のホールの周期は、図３（ａ）中のａであり、ホール径は半径ｒで示される。このとき、図３（ａ）の実空間での周期性を有する配列は３回回転対称であり、後述する図４の波数空間においても３回回転対称の６角形構造を有するブリルアンゾーン８を形成する。このブリルアンゾーン８においては、ホールが近接して直線を形成する方向がΓ−Ｋ方向、このΓ−Ｋ方向の中間の方向がΓ−Ｍ方向と表記される。
【００６８】
図４は、図３に示す欠陥のないフォトニック結晶内を伝播可能な光のバンドを示したフォトニック結晶のバンド図であり、図４において、横軸はΓ−Ｋ方向およびΓ−Ｍ方向に対応した波数ベクトルｋである。図４においては、２次元フォトニック結晶として図３（ａ）の三角配列を用い、薄膜の屈折率３．０、ホールの屈折率１．０、ｒ／ａ値＝０．３０として、２次元平面波展開法により計算した。縦軸は光の周波数ωを規格化した規格化周波数ωＮである。波数ベクトルは周期構造中の光の伝播特性に対応したものであり、規格化周波数は伝播させる光の周波数を規格化したものであり、真空中の光速をｃとして、この規格化周波数ωＮ＝ωａ／２πｃで示され、単位は無次元である。これは、波長をλとして、ａ／λと同じであり、波長と周期との比として考えてよい。このとき、図４に示すように、規格化周波数ωＮが０．２５から０．３近傍で、バンドがいずれの波数においても存在しない領域９が存在し、この領域をフォトニックバンドギャップと呼ぶ。
【００６９】
このフォトニックバンドギャップに対応する周波数の光を所定の方向で入射しても反射されるのみで、反射用途以外の光制御素子として利用することはできない。しかしながら、このフォトニックバンドギャップを有するフォトニック結晶中の周期性に欠陥構造を設けることにより、この欠陥に対応した伝播モードとなるバンドがフォトニックバンドギャップ中に生じ、このバンドに対応した周波数の光を所定の欠陥に対して適切に入射せしめることにより、光制御素子として利用することができる。この欠陥がホールの欠陥からなる場合を、点欠陥、複数の連続した欠陥からなる場合を線欠陥とよばれている。フォトニック結晶に線欠陥を設けた場合には、この線欠陥内を特定の周波数の光が導波する欠陥導波路とよばれる導波路が形成される場合がある。この欠陥導波路は、元のフォトニックバンドギャップ内にバンドを有しており、通常の全反射に基づく導波路とは非常に異なる、種々のフォトニック結晶特有の光伝播特性を有する。
【００７０】
図５は、欠陥導波路を有するフォトニック結晶により生じるバンドを説明する模式図である。欠陥導波路を有するフォトニック結晶のバンド図の一部を説明のために拡大したものである。フォトニック結晶としては、図４と同様の構成を用い、単純な一列の線欠陥による欠陥導波路のバンド図を２次元平面波展開法により計算した。その他は、図４と全く同様である。ただし、横軸として波数ベクトルを規格化した規格化波数を用い、その単位は〔２π／ａ〕であり、ブリルアンゾーンの折り返しにより、所定の波数ベクトル方向に対する最大値は１の半分の０．５に規格化されている。図５においては、規格化周波数ωＮが０．２５から０．３近傍のフォトニックバンドギャップの中に、２つのバンドが現れる。この２つのバンドとも、フォトニック結晶内を欠陥導波路に沿ってのみ光を導波することができるバンドを示し、所定の周波数の光に対して規格化周波数ωＮを求め、このωＮから水平線を引いた場合にこの２つのバンドと交点を有する場合に、所定の周波数は欠陥導波路内を導波することができる。また、空気中およびアンダークラッドとなるＳｉＯ２ での光の伝播状態として、それぞれの空気およびＳｉＯ２ のライトラインとして示している。
【００７１】
このとき、欠陥導波路を導波する光は、通常の導波路や真空中とは非常に異なった導波の振る舞いを示し、例えばその伝播速度は、光の群速度Ｖｇとして示されるが、このＶｇはバンドの１次微分値に対応しているため、光の周波数に対して群速度が大きく異なりかつその値が小さいことがわかる。空気中を伝播するバンドは、図中の空気ライトコーンと呼ばれる傾きは１のバンドで示されており、傾き１が空気中つまりはほぼ真空中の光の伝播速度に対応する。一方、図５に示す下の方のバンド（Ｍ０）おいては、規格化波数（以下、単に波数と表記する）が０．４近傍において、その１次微分値である傾きの絶対値が０．１以下であり、逆に真空中よりも１０倍以上も光の伝播速度が遅くできることになる。もとの構成材料の屈折率は３．０であり、バルク状態での元の材料の光の伝播速度が真空中の３倍であるので、結果として３倍以上も光の伝播速度を遅くでき、このため群速度遅延のための光制御素子としての利用ができることになる。さらに規格化波数０．５付近においては、真空中に対して数十倍以上もの光伝播速度の遅延も可能である。また、また、光の周波数に対応してバンドの傾きが大きく変化するので、光の周波数に対する分散が非常に大きく、場合により周波数分散つまりは波長分散を増大させるための光制御素子利用することができる。
【００７２】
しかしながら、このような従来のフォトニック結晶による光制御素子を遅延素子は、上述のように波長分散はフォトニック結晶構造と周波数から一義的に決定された一定値であり、実用的には非常に使用しにくい。また、群速度が遅い欠陥導波路は、その欠陥導波路への外部からの光の反射率が非常に大きく、光利用効率が低くなってしまう。図１に示す本発明の第１の実施形態は、従来の屈折率が光の波長オーダで一定の周期性を有する構成からなるフォトニック結晶とは全く異なり、導波方向に対して屈折率の波長オーダでの周期性を有していない新規のフォトニック結晶を用いた光制御素子として案出したものである。
【００７３】
より具体的には、本発明の第１の実施形態に用いたフォトニック結晶としては、屈折率分布を有する材料からなる薄膜を用い、この薄膜にホールを形成することにより屈折率分布型のスラブ型２次元フォトニック結晶を構成したものであり、さらにこの屈折率分布型のフォトニック結晶に線欠陥からなる欠陥導波路を形成したものである。このとき、ホール自体の相対位置座標は、従来のフォトニック結晶と同様の周期性を有する三角配列として設けている。また、この欠陥導波路を伝播する導波光の導波方向に対してのみ、上記薄膜の屈折率が連続的に減少するような屈折率分布で薄膜を形成してある。これにより、光が導波する導波方向に対して、ホールを充填している空気と薄膜との屈折率差が徐々に連続的に減少していくので、この導波方向に対する屈折率の波長オーダでの周期性を欠如せしめている。より詳細には、周期に相当する隣接するホール中心間の光路長が、ホール間に存在する薄膜の屈折率が徐々に減少することにより一定値ではなく徐々に減少しており、光学的な周期性を有するとは言えない。ここでの周期性の欠如とは、フォトニック結晶に点欠陥構造や線欠陥構造ないしは部分的に歪み構造を設けた場合の従来の欠陥としての周期性の欠如とは異なり、特定の領域全体が屈折率の周期性を欠如していることをいう。この本発明の屈折率分布型の薄膜中に多数のホールを有する構造は、従来フォトニック結晶と同様のフォトニックバンドギャップおよびその中に存在する欠陥導波路に対応したバンドを有していることをＦＤＴＤを用いたシミュレーションにより見出し、フォトニック結晶との一つとすることができ、屈折率分布型フォトニック結晶であるといえる。
【００７４】
本発明に用いた屈折率分布型フォトニック結晶は、一定の物性値を有していない材料分野における傾斜材料に相当し、一定の光学的な物性値を有しておらず、物性値が光の導波方向に対して連続的に変化する。この屈折率分布型フォトニック結晶の特徴を利用して、本発明は、従来の物性値の一定なフォトニック結晶とは異なる分散制御や群速度制御さらには透過／反射率制御を行うフォトニック結晶からなる光制御素子を実現したものである。その屈折率分布を制御することにより、特定の周波数に対する導波光のバンドを、導波していきながらシフトすることができるようになる。これにより、大きな群速度遅延効果とその波長分散制御効果とを有する小型低損失の光制御素子を提供することができる。
【００７５】
本発明においては、欠陥導波路を導波させる導波光４に対しては、導波光の周波数に対して、フォトニック結晶のバンドで決定される導波状態が導波しながら変化するので欠陥導波路内で群速度を変化させることができ、この結果として分散状態を制御することができる。入射光の有する周波数の幅に対して、屈折率分布型フォトニック結晶内の欠陥導波路両端でのバンドを変化させられることに対応した周波数の幅を、十分に大きくなるように屈折率分布を構成する。これにより、周波数の差による群速度の差を、もとの周波数に直接に対応した群速度差以上に大きくしたりすることができる。
【００７６】
また、本発明においては、欠陥導波路を導波させる導波光４に対しては、導波光の周波数に対して、フォトニック結晶のバンドで決定される導波状態が導波しながら変化するので、欠陥導波路内で群速度を変化させることができる。図１においては、入射側での光の群速度は大きく、出射側での光の群速度は小さい。これを利用して、図１とは別の図示はしていないが２つの異なる群速度特性を有するフォトニック結晶に対して、群速度を一致させた高光利用効率の結合素子として屈折率分布型フォトニック結晶をからなる光制御素子を用いることもできる。
【００７７】
また、本発明においては、フォトニック結晶の群速度遅延による光遅延効果を有する光制御素子を形成する場合に、フォトニック結晶への光の入射結合効率を大きく向上して、高い光利用効率の光制御素子を実現することができる。これは、群速度を非常に小さくした従来のフォトニック結晶が１次元フォトニック結晶であるＤＢＲ構造と同様で本質的に反射率が高いことに対して、本発明の光制御素子では、入射する場合の群速度は大きいために反射を低減することができ、かつ導波しながら群速度を連続的に小さくしているので、反射率が小さいにもかかわらず小さい群速度での導波状態を実現することができる。
【００７８】
また、本発明の連続的に変化する屈折率差とは、フォトニック結晶の構成として必須な高屈折率部分と低屈折率部分との材料に基づく屈折率差または実効屈折率差である。ここでの実効屈折率とは、導波路や薄膜素子に適用されている、光が材料だけではなく構造にも影響されて実際に作用を受ける度合として定義されている屈折率を意味する。例えば、波長オーダの薄膜は膜厚を薄くすることで実効屈折率が、バルク状態の材料本来の屈折率よりも小さくなる。また、薄膜に波長の１／１０以下の大きさの微小空気構造を設けても実効屈折率は小さくなる。実効屈折率差は、材料変化によって生じる屈折率差、構造変化により生じる屈折率差、そして材料変化と構造変化が複合されて生じる屈折率差のことを総称して実効屈折率差としている。ホール部分に誘電体が充填されており、薄膜１の屈折率は一定で、このホールを形成する材料の屈折率が連続的に変化して実効屈折率差が連続的に変化したり、薄膜１とホールの両方の材料の屈折率が変化して実効屈折率差が連続的に変化したりする場合も非常に有効である。また、導波路方向にのみ実効屈折率が連続的に変化することに限定されるわけではなく、導波路以外の方向に対しても実効屈折率が連続的または段階的に変化させる構成を組み合わせることも効果的である。
【００７９】
また、本発明は、ホール構造のスラブ型２次元フォトニック結晶を用いた光制御素子にその効果が限定されるわけではなく、ピラー型のスラブ型２次元フォトニック結晶における欠陥導波路、さらには３次元フォトニック結晶構造における欠陥導波路についても同様に、大きな分散制御効果と群速度遅延効果を有し、これを用いた光制御素子としての効果も非常に大きい。
【００８０】
本発明の第２の実施形態を図６および図７（ａ）に基づいて説明する。第１の実施形態と同一部分は同一符号で示し説明も省略する（以下、同様）。図６は、本発明の第２の実施形態であるスラブ型２次元フォトニック結晶からなる光制御素子を模式的に示した構成図である。図６において、１０は屈折率分布を有する薄膜であり、２はホールであり、３は欠陥導波路であり、４は欠陥導波路を導波する導波光である。図６におけるフォトニック結晶は、高屈折率の材料からなる薄膜１と低屈折率の材料となるホール２とから構成され、さらに薄膜１０は、図６中の左側がこの薄膜１０内において相対的に低屈折率となり図６中の右側は同じく相対的に高屈折率となる屈折率分布を有する材料からなる。この薄膜１０の屈折率分布は、フォトニック結晶に設けたホールの存在しない欠陥導波路３を導波する導波光４の導波路方向に対して、薄膜１とホール２との実効的屈折率差が連続的に減少するような屈折率分布となるように構成されている。
【００８１】
図６に示すように、本発明は屈折率を導波光が導波する進行方向に対して薄膜の屈折率を減少させる場合に限定されるわけではなく、図６においては、欠陥導波路に入射した光は、フォトニック結晶を実効的屈折率差が連続的に減少しており、これにより欠陥導波路に対応したバンドが同じ波数に対しては周波数が小さい方向へと、欠陥導波路を導波させながらシフトさせることができる。これを利用して、導波させながら群速度を大きくする群速度制御ができるようになる。また、バンドが周波数の小さい方へシフトさせることにより、空気やアンダークラッド層となるＳｉＯ２ のライトラインに対するバンド状態を変化させることにより、スラブ型２次元フォトニック結晶からの発散する光を制御することもできる。
【００８２】
図７（ａ）は、本発明の第２の実施形態であるスラブ型２次元フォトニック結晶からなる光制御素子の実効屈折率差を模式的に示した図であり、図７（ａ）においては、横軸は欠陥導波路方向の空間的な相対位置座標であり、縦軸は実効屈折率差である。図７（ａ）の線１４が示すように、１次関数的に実効屈折率差が減少している。
【００８３】
本発明の第３の実施形態を図７（ｂ）に基づいて説明する。図７（ｂ）右は、本発明の第３の実施形態であるスラブ型２次元フォトニック結晶からなる光制御素子の実効屈折率差を模式的に示した図であり、図７（ｂ）においては、横軸は欠陥導波路方向の空間的な相対位置座標であり、縦軸は実効屈折率差である。図７（ｂ）の曲線１５が示すように、非線形関数的に実効屈折率差が増加している。非線形関数的に実効屈折率差を変化させることにより、より高精度に群速度の制御ができるようになる。
【００８４】
図７（ａ）又は（ｂ）に示すような特性を実現するような屈折率分布を有する材料としては、基板と垂直方向に材料を薄膜形成したり、特定元素を基板端面から拡散させたり、光または電磁波により屈折率の変化する材料に対して光または電磁波の照射量を変化させたり、イオン注入により注入量を変化させたり、バルクとして屈折率分布を有する無機材料または有機材料をスライスおよび研磨して薄膜にしたりすることによって実現できる。また、薄膜１の実効屈折率が変化すればよいので、この薄膜１の材料としての屈折率を変化させるだけではなく、アンダークラッド層等の周辺部材の屈折率を変化させることも効果的である。さらに、屈折率を一定値として用いる必要はなく、電気光学効果や非線形光学効果や温度変化等により外部からの信号によりまたは自律的にアクティブに屈折率を変化させることにより、分散制御や群速度制御をすることは非常に効果的ある。
【００８５】
また、本発明の光制御素子は、光メモリデバイス、光変調器、光遅延素子、光分散補償素子、光増幅素子、光コンピューティング素子、光波長変換素子、磁気―光情報変換素子、光受光素子、光バイオ素子等に用いることで、その性能を飛躍的に向上させることができ、また超小型化を実現できる。さらには、これらの素子を用いた、光メモリシステム、光メモリシステム、光通信システム、オフィス内光データ伝送システム、機器内光伝送システム、チップ内光伝送システム、光増幅システム、光コンピューティングシステム、光波長変システム等のシステムに用いることにより、その性能を飛躍的に向上すると同時に超小型化を実現できる。
【００８６】
［請求項３、４に係る発明に対応する実施の形態］
本発明の第４の実施形態を図８に基づいて説明する。図８は、本発明の第４の実施形態であるスラブ型２次元フォトニック結晶からなる光制御素子を模式的に示した構成図である。図８において、１０は屈折率分布を有する薄膜であり、２はホールであり、３は欠陥導波路であり、４は欠陥導波路を導波する導波光である。図８に示すフォトニック結晶は、高屈折率の材料からなる薄膜１０と低屈折率の材料となるホール２とから構成され、さらに薄膜１０は、図８中の左側がこの薄膜１０内において相対的に低屈折率となり右側は同じく相対的に高屈折率となる屈折率分布を有する材料からなる。この薄膜１０の屈折率分布は、フォトニック結晶に設けたホールの存在しない欠陥導波路３を導波する導波光４の導波路方向に対して、薄膜１とホール２との実効的屈折率差が段階的に減少するような屈折率分布となるように構成されている。これは、薄膜１０が材料組成の異なる複数の材料により構成され、かつこの材料の屈折率が段階的に減少することにより実現される。また、図８では、模式的に８ステップの場合を示しているが、このステップ数は、この数に限定されるものではない。
【００８７】
図８において、実効屈折率差の段階的な変化とは、フォトニック結晶として一定のバンドを有しない状態である。
【００８８】
バンドは導波方向に沿って連続的に変化している。これは微視的に屈折率が一定の微小領域により薄膜が構成され、この微小領域の屈折率が微小な増加または微小な減少が生じるように隣接して配列され、かつこれらの連続した３つ以上の配列により、薄膜の段階的な屈折率の増加または減少を生じせしめるものである。このとき、屈折率の一定となる微小領域は、導波方向にそって連続的にバンドが変化していく状態となるように十分に小さい領域とすることが重要である。この微小領域の導波方向の長さ、小さければ小さいほど好ましく、光の波長の１／２以下の長さであることが特に好ましい。この微小領域からなる屈折率変化により、構成材料の屈折率制御が簡単となり、より作製の容易な光制御素子を提供することができるようになる。
【００８９】
また、この微小領域の導波方向の長さが、光の波長程度またはその数倍程度の長さであっても、段階的に減少または増加を数個の領域に渡って繰り返す場合にも、フォトニック結晶のバンドがほぼ連続的に変化していき、微小領域が波長以下の小さい場合と類似の効果が得られる場合には、この微小領域の導波方向の長さが大きくてもよい
［請求項５に係る発明に対応する実施の形態］
本発明の第５の実施形態を図９なし図１１に基づいて説明する。図９は、本発明の第５の実施形態であるスラブ型２次元フォトニック結晶からなる光制御素子を模式的に示した構成図である。図９中、Ａ、Ｂ、Ｃ、Ｄは、光伝播方向の相対位置を示す。図９において、１は屈折率分布を有する薄膜であり、２はホールであり、３は欠陥導波路であり、４は欠陥導波路を導波する導波光であり、１６はこの導波光４の反射光であり、１７ａ，１７ｂ，１７ｃは、３つの異なる周波数の光の反射を行う領域の代表位置を模式的に示したものである。図９におけるフォトニック結晶は、高屈折率の材料からなる薄膜１と低屈折率の材料となるホール２とから構成され、さらに薄膜１は、図９中の左側がこの薄膜１内において相対的に高屈折率となり右側は同じく相対的に低屈折率となる屈折率分布を有する材料からなる。この薄膜１の屈折率分布は、フォトニック結晶に設けたホールの存在しない欠陥導波路３を導波する導波光４の導波路方向に対して、薄膜１とホール２との実効的屈折率差が連続的に変化するような屈折率分布となるように構成されている。
【００９０】
このとき、薄膜１は、欠陥導波路を導波させる光の波長に対して、欠陥導波路に対応したバンドのバンド端が存在する場所があるように、その実効屈折率差を十分に大きくして屈折率分布型フォトニック結晶を構成させる。これにより、左から欠陥導波路に入射した所定の波長帯域を有する導波光は、図９に示すように、それぞれの周波数毎にバンド端に対応するフォトニック結晶の位置において、導波光４の群速度Ｖｇが略０となるので、導波光４に対しては反射状態となり、この導波光４は導波光１６になる。この群速度Ｖｇが略０の状態とは光の局在を意味し、これは光が停滞している状態であり理想的な光遅延効果である。つまり導波光の反射位置は、この群速度Ｖｇがゼロの場合であり、図９においては、周波数の３つの異なる周波数を欠陥導波路に入射させた場合の構成図であり、位置Ｂ、Ｃ、Ｄにおいて、それぞれの周波数での群速度０による反射が、１７ａ、１７ｂ、１７ｃに示すようにそれぞれの周波数に対応して実効することができる。
【００９１】
これにより、図４における光制御素子は、この群速度Ｖｇが略０の状態のある構成を用い、さらにこの状態へと群速度を連続的に小さくしながら実現しているので、超小型の光遅延効果を有するフォトニック結晶からなる光制御素子を実現することができる。これは、広い波長に対して均一な光の局在および反射がおこることを利用するものであり、屈折率分布の状態とその導波させる距離を適切に設定することにより、反射型としてではあるが非常に大きな分散制御や群遅延量制御素子としても用いることができる。より具体的には、１０から１００μｍ程度の非常に小さい短距離で、ｐｓ〜数１０ｐｓオーダの光遅延を得ることができる。また、ｐｓレベルで光を実質的に止めることもできる。
【００９２】
図１０は、本発明の第５の実施形態を説明するためのバンド図である。図１０のバンド図は、屈折率分布型のフォトニック結晶の導波路方向に対して特定の位置に対応するバンド図を模式的に示したものである。屈折率分布型フォトニック結晶は、導波方向の周期性を欠如したフォトニック結晶であり、一定のフォトニックバンドギャップを有していないが、従来のフォトニック結晶と同様にフォトニックバンドギャップとその中の欠陥構造によるバンドを有しているので、導波方向に沿った位置それぞれに対応したフォトニックバンドギャップがあるとして扱ってもよい。図１０においては、２０は、屈折率分布型フォトニック結晶の特定の位置での欠陥導波路に対応したバンドであり、２１は、バンド２０に対して相対的に図示した欠陥導波路を導波させる光の周波数帯域であり、これは導波させる光の波長帯域に対応する。図１０において、この光の周波数帯域２１に対しては、図９に示すフォトニック結晶構成においては、そのフォトニックバンドギャップ内にバンド端を有している状態となる。
【００９３】
図１１は、本発明の第５の実施形態となる図９および図１０のバンド図を示す屈折率分布型フォトニック結晶の光の伝播特性を説明するため、このフォトニック結晶内における導波方向でのバンド図の変化として図９と同様の理由のもとに示すものである。図１１において、１８ａ、１８ｂ、１８ｃは、欠陥導波路を導波させる光の周波数帯域から上限、下限および中央値として３つの周波数を選んだものであり、１９ａ、１９ｂ、１９ｃ、１９ｄは、フォトニック結晶の伝播方向によるバンドを示すものであり連続的な屈折率差の減少に従いシフトしており、２０ａ、２０ｂ、２０ｃはバンド端での光の折り返し効果を模式的に示すものである。
【００９４】
図１１において、周波数の低い順に、Ｂ、ＣおよびＤの順で、欠陥導波路を伝播する光が１９の欠陥導波路のバンド端と順次、重なるようになる。図９中のＢ、Ｃ、Ｄの位置は、図１１中のＢ、Ｃ、Ｄの位置に対応している。これにより、光はこのバンド端と重なった状態で群素度がほぼゼロとなり、〜数ｐｓレベルの実質的な光の停滞状態を実現することもでき、この後に、最初の導波方向に対して反射された状態となり、導波光１６となって入射と逆の方向へ導波するような構成にするこができる。このとき、本発明のフォトニック結晶からなる光制御素子は、光の停滞状態も利用することができる非常に大きな分散制御と群速度制御を有する光制御素子を提供することができる。
【００９５】
本発明の第６の実施形態を図１２（ａ）に基づいて説明する。図１２中の（ａ）は、本発明の第６の実施形態であり、本発明による大きな分散制御と群速度遅延効果を示すグラフである。図１２中の（ａ）は、図９に示される屈折率分布型フォトニック結晶の光制御素子として、薄膜１の有効屈折率差分布が入射位置に相当する部分で屈折率値が２．９６３であり、この屈折率値は線形で連続的に減少されており、バンド端付近の屈折率値で２．８００である構造を有している。このときの、屈折率差分布のある欠陥導波路長は３０μｍである。また、ホールの周期ａ値は０．３９μｍであり、ホールの径は直径２ｒ値で０．３９μｍである。図１２中の（ａ）は、この構造を有する光制御素子に対して、欠陥導波路のバンド端を有する周波数で、約３００ｆｓの短パルス入射せしめた場合の光の伝播状態を示している。図の横軸はフォトニック結晶中の短パルスの入射位置を基準とした相対座標であり、縦軸は電界強度である。また、導波路に入射させた光の周波数は、波長として１．５５μｍである。このときの短パルス光の幅は半値全幅ＦＷＨＭで２６６ｆｓであり、伝播する群速度に対応した相対位置座標として横軸方向の幅でこのパルスの幅が示され、この幅により分散量を知ることができる。本発明の光制御素子による光の伝播特性は、ＦＤＴＤシミュレーションを用いた数値計算により求めた。
【００９６】
図１２中の（ａ）において、短パルス光は広がった波長帯域を有しており波長分散つまりは周波数分散の影響を大きく受けやすいにも拘らず、本発明の光制御素子を用いた場合には、入射２６６ｆｓに対して、反射２８０ｆｓと、短パルスが時間領域でほとんど広がっていない。これは大きい周波数分散を有する従来のフォトニック結晶では実現できなかった超低分散としての分散制御効果を示している。このような超低分散にもかかわらず、３０μｍという非常に小さな領域における光の伝播時間が、欠陥導波路の往復で３．４６ｐｓであり、真空中および空気中の光群速度に対して３０倍以上、シングルモード光ファイバでの光の群速度に対しても２０倍以上と非常に大きい群速度の低減効果を有することが見出され、大きな分散制御と群速度遅延効果を示す超小型の光制御素子を提供することができる。
【００９７】
本発明の第７の実施形態を図１２（ｂ）に基づいて説明する。図１２中の（ｂ）は、本発明の第７の実施形態であり、本発明による大きな分散制御と群速度遅延効果を示すものである。図１２中の（ｂ）は、図９に示される屈折率分布型フォトニック結晶の光制御素子として、薄膜１の有効屈折率分布が入射位置に相当する部分で屈折率値が２．９６３であり、この屈折率値は線形で連続的に減少されており、バンド端付近の屈折率値で２．８００である構造を有している。このときの、屈折率差分布のある欠陥導波路長は７０μｍである。また、ホールの周期ａ値は０．３９μｍであり、ホールの径は直径２ｒ値で０．３９μｍである。図１２中の（ｂ）は、この構造を有する光制御素子に対して、欠陥導波路のバンド端を有する周波数で、約３００ｆｓの短パルス入射せしめた場合の光の伝播状態を示している。より具体的には、導波路に入射させた光の周波数は、波長として１．５５μｍであり、このときの短パルス光の幅は２６６ｆｓである。本発明の光制御素子による光の伝播特性は、ＦＤＴＤシミュレーションを用いた数値計算により求めた。
【００９８】
図１２中の（ｂ）において、短パルス光は広がった波長帯域を有しているが、本発明の光制御素子を用いた場合には、入射２６６ｆｓに対して、反射はＦＷＨＭで８７１ｆｓであり、短パルスが時間領域で６００ｆｓ拡大しており、１ｐｓ以下のｆｓレベルという非常に高精度な状態で短パルス波形の形をきれいなまま拡大する分散を発現できた。しかも、フォトニック結晶の屈折率分布としてはその屈折率差は図１２中の（ａ）と同様であり、３０μｍであった伝播距離を７０μｍとして屈折率の変化を２倍程度に小さくすることで、４０μｍという小さい距離の差での分散量の制御であることがわかる。また、このときの７０μｍにおける光の伝播時間が、欠陥導波路の往復で７．０６ｐｓであり、小さな群速度は維持されていた。これにより大きな分散制御と群速度遅延効果を示す超小型の光制御素子を提供することができることがわかる。
【００９９】
［請求項６、７に係る発明に対応する実施の形態］
本発明の第８の実施形態を図１３に基づいて説明する。図１３は、本発明の第８の実施形態となるスラブ型２次元フォトニック結晶からなる光制御素子の側面の一例を模式的に示したものである。図１３において、１３は実効屈折率分布を有する薄膜であり、２はホールであり、５は基板であり、６はアンダークラッド層である。図１３において、ホールは薄膜内に垂直に円柱状に設けられており、その上部は開口している。アンダークラッド層は、薄膜１よりも屈折率の低い材料から構成されて薄膜１がコア層となる導波層なっており、またこのアンダークラッド層の下に基板５が設けられている。この薄膜自体は均一材料で作られており、かつその厚さは図１３中の左側が厚く、図１３中の右側が薄くなっており、厚さが徐々に連続的に変化していることにより実効屈折率を変化させている。これにより、欠陥導波路の導波方向に図１１に示すような一定ではないバンドを有するようになる。これにより、屈折率が単一の組成材料であるにも拘らず、実効屈折率差が変化する構成を実現することができるようになり、屈折率分布型フォトニック結晶による光制御素子の作製が非常に容易になる。図１３においては、この薄膜の厚さの制御は、基板に対する平行度を制御して行ったＣＭＰ技術により実現されており、またこのときの面粗さとしては０．２ｎｍ以内の粗さ精度で作製できる。このとき、複雑な微細加工を用いていないので、この点でも、屈折率分布型フォトニック結晶による光制御素子の作製を非常に容易になる。
【０１００】
また、本発明は、その実効屈折率は薄膜の膜厚のみの構造パラメータによって変化させることに限定されるわけではなく、光の波長に対して１／８以下となるような非常に小さい形状の空気ホールまたは空気スリット等により実効屈折率を下げることもできる。また、これらは厚さを均一にして成膜した薄膜を用いることができるので、これもまた、屈折率分布型フォトニック結晶による光制御素子の作製が非常に容易になる。また、本発明における構造パラメータの変化としては、薄膜１の形状に限定されるわけではなく、アンダークラッド層の形状を変化させたり、オーバクラッド層を設けてこの形状を変化させたりすることにより実現したりすることも効果的である。
【０１０１】
［請求項８に係る発明に対応する実施の形態］
本発明の第９の実施形態を図１４に基づいて説明する。図１４は、本発明の第９の実施形態を示したものであり、屈折率分布型フォトニック結晶を用いた光制御素子を模式的に示した図である。図１４において、屈折率分布型フォトニック結晶は、連続的な屈折率差の変化を有するものの、その１次微分の値により３つの領域に形式的に分割することができる。この３つの領域は、それぞれ、図１４中の２１ａ、２１ｂ、２１ｃであり、１次微分が０となる部分を境に、屈折率差減少部分の２１ａ，２１ｃ、および屈折率差増加部分になる２１ｂである。図１４のフォトニック結晶を用いた光制御素子においては、一つの波数において、非常に多くの群速度状態および分散状態を用いることができるので、より広帯域の波長に対して大きな分散制御効果と群速度遅延効果を有する光制御素子を実現することができる。また、群速度が０付近の領域を繰り返すことにより、非常に長い時間の遅延効果を低反射率かつ超小型の光制御素子で実現することができるようになる。
【０１０２】
［請求項９に係る発明に対応する実施の形態］
本発明の第１０の実施形態を図１５に基づいて説明する。図１５は、本発明の第１０の実施形態であるスラブ型２次元フォトニック結晶からなる光制御素子を模式的に示した構成図である。１は屈折率分布を有する薄膜であり、２はホールであり、３は欠陥導波路であり、４は欠陥導波路を導波する導波光である。フォトニック結晶は、高屈折率の材料からなる薄膜１と低屈折率の材料となるホール２とから構成され、さらに薄膜１は、図１５中の左側がこの薄膜１内において相対的に低屈折率となり右側は同じく相対的に高屈折率となる屈折率分布を有する材料からなる。
【０１０３】
図１５中のホール自体の相対位置座標が従来のフォトニック結晶と同様の周期性を有する三角配列としていて設けられており、これは図１に示す本発明の構成と同様であるが、図１５においては、欠陥導波路を挟んでこれらの配列が傾いており、欠陥導波路を境にホールの配列が歪んでいる。これにより、欠陥導波路の幅を導波方向に沿って連続的に変化することができ、薄膜１の屈折率の連続的な変化と複合することにより、欠陥導波路のバンドをより大きく制御することができ、分散制御と群速度制御をより高精度に行うことができるようになる。
【０１０４】
本発明の第１１の実施形態を図１６に基づいて説明する。図１６は、本発明の第１１の実施形態であり、格子配列の歪みが導波方向に沿って段階的に変化する場合の光制御素子を模式的に示した構成図である。図１６において、欠陥導波路近傍でのホールの配列が、図１６中の右上部分において、一列のみ欠陥導波路に沿って段階的にシフトしている。図１６においても、図１５と同様に、欠陥導波路の幅を導波方向に沿って連続的に変化することができ、薄膜１の屈折率の連続的な変化と複合することにより、欠陥導波路のバンドをより大きく制御することができ、分散制御と群速度制御をより高精度に行うことができるようになる。
【０１０５】
［請求項１０に係る発明に対応する実施の形態］
本発明の第１２の実施形態を図１７に基づいて説明する。図１７は、本発明の第１２の実施形態であるスラブ型２次元フォトニック結晶からなる光制御素子を模式的に示した構成図である。図１７において、１は屈折率分布を有する薄膜であり、２はホールであり、３は欠陥導波路であり、４は欠陥導波路を導波する導波光である。図１７におけるフォトニック結晶は、高屈折率の材料からなる薄膜１と低屈折率の材料となるホール２とから構成され、さらに薄膜１は、図１７中の左側がこの薄膜１内において相対的に低屈折率となり、右側は同じく相対的に高屈折率となる屈折率分布を有する材料からなる。
【０１０６】
このとき、図１７中、ホールの径が導波路方向に沿って徐々に増加しており、これによって欠陥導波路のバンドを導波方向に沿って変化することができ、薄膜１の屈折率の連続的な変化と複合することにより、欠陥導波路のバンドをより大きく制御することができ、分散制御と群速度制御をより高精度に行うことができるようになる。このとき、図１７の構成は、ホール自体の相対位置座標は図１のフォトニック結晶と同様の周期性を有する三角配列としていて設けているので、レジストを用いた場合には同じマスクを用いて紫外線露光量のみを変化することによりフォトリソ等を行ったり、座標位置はそのままでＥＢ露光量を変換させたりすることで、容易に作製できるようになる。
【０１０７】
［請求項１１に係る発明に対応する実施の形態］
本発明の第１３の実施形態を図１８に基づいて説明する。図１８は、本発明の第１３の実施形態であるスラブ型２次元フォトニック結晶からなる光制御素子を模式的に示した構成図である。図１８において、１は屈折率分布を有する薄膜であり、２はホールであり、３は欠陥導波路であり、４は欠陥導波路を導波する導波光である。フォトニック結晶は、高屈折率の材料からなる薄膜１と低屈折率の材料となるホール２とから構成され、さらに薄膜１は、図１８の左側がこの薄膜１内において相対的に低屈折率となり、右側は同じく相対的に高屈折率となる屈折率分布を有する材料からなる。
【０１０８】
このとき、図１８の導波方向に沿ってホール間の距離のみが導波路方向に沿って徐々に増加しており、これによって欠陥導波路のバンドを導波方向に沿って変化することができ、薄膜１の屈折率の連続的な変化と複合することにより、欠陥導波路のバンドをより大きく制御することができ、分散制御と群速度制御をより高精度に行うことができるようになる。このとき、図１８の構成は、ホール自体の径は同じで、相対位置座標のみが徐々に変化しているので、紫外線露光量やＥＢ露光量はそのままであるので露光条件を一定にすることができ、この状態で導波路方向のみの相対露光位置を正確に制御できるアライメント装置を組み合わせることにより、容易に図１８の構成を作製できるようになる。
【０１０９】
［請求項１２に係る発明に対応する実施の形態］
本発明の第１４の実施形態を図１９に基づいて説明する。図１９は、本発明の第１４の実施形態であるスラブ型２次元フォトニック結晶からなる光制御素子を模式的に示した構成図である。１は屈折率分布を有する薄膜であり、２はホールであり、３は欠陥導波路であり、４は欠陥導波路導波する導波光であり、図１９におけるフォトニック結晶は、高屈折率の材料からなる薄膜１と低屈折率の材料となるホール２とから構成され、さらに薄膜１は、図１９中の左側がこの薄膜１内において相対的に低屈折率となり、右側は同じく相対的に高屈折率となる屈折率分布を有する材料からなり、これらは本発明の第１の実施形態と同様である。さらに、図１９においては、２１ａ，２１ｂ，２１ｃ（以下、ａ，ｂ，ｃに区別をしない場合には省略する）は、点欠陥導波路であり、４５は点欠陥からの発散光であり、４４は欠陥導波路３から点欠陥導波路に一部の光が結合した後に欠陥導波路を導波する導波光を示す。
【０１１０】
このとき、図１９において、欠陥導波路を導波する導波光のうち、特定の周波数の光が点欠陥に結合され、この点欠陥に結合された光はスラブ型２次元フォトニック結晶から上下方向に発散する。これは、導波光に対して、欠陥導波路から点欠陥へと光配線があるがごとく接続されることを意味し、この意味で光を結合される点欠陥は光を接続されてなる欠陥構造である接続欠陥構造の一つであるといえる。さらに、図１９においては、欠陥導波路の導波方向に沿って屈折率差が連続的に変化するので、欠陥導波路によるバンドが連続的に変化すると同時に、点欠陥に対応するバンドも点欠陥の位置に対応して変化しており、これらを適切に設計することにより、光の周波数によって結合効率の異なる接続欠陥構造とすることができ、光の合分波効果を有する光制御素子を実現したり、逆に広い周波数低域の光を取り出したりすることもできる。この点欠陥からの導波光の発散は、欠陥導波路３と点欠陥とのバンドの重なりにおいて説明される。特定の周波数において２つのバンドに重なりが生じ、かつ、これらの欠陥同士が十分に近接しておりフォトニックバンドギャップの影響が小さく相互作用を生じることができるならば、この周波数の導波光が共振されて光が接続されることになる。この点欠陥では、光をスラブ型２次元フォトニック結晶内で分散制御したり群速度遅延を行った素子に対してその光を取り出してこれを受光器で測定したりすることにより、導波光の波長や強度を測定するために用いる光制御素子として用いることができる。
【０１１１】
本発明の第１５の実施形態を図２０に基づいて説明する。第２０図は、本発明の第１５の実施形態であり、図１９の点欠陥の代わりに、複数のホールが存在しない大きな欠陥構造２２を有し、ここから発散光２３が生ずる。この場合においては、フォトニックバンドギャップによる閉じ込めが弱くなることによって、広い波長帯域の導波光をスラブ型２次元フォトニック結晶から発散させることができる。欠陥構造は、点欠陥に限定されるわけではなく、ホールが存在しない場合やホールの歪みが大きい場合など、もとの欠陥導波路のバンドとことなるバンドを有し、これらのバンド間で光を結合可能であればよい。
【０１１２】
［請求項１３に係る発明に対応する実施の形態］
本発明の第１６の実施形態を図２１に基づいて説明する。図２１は、本発明の第１６の実施形態であり、図１９の点欠陥の代わりに３つの点欠陥が連続して連なった欠陥構造２４および元の欠陥導波路３とは別の欠陥構造としての接続欠陥導波路２７を有する。２５は欠陥構造２４に共振している光であり、２７は欠陥構造である欠陥導波路２７を導波している光である。元の屈折率分布型欠陥導波路３を伝播する導波光４は、一旦欠陥構造２４に結合され共振している光２５となり、この結合された光２５は、再度、別の欠陥構造である接続欠陥導波路２６に結合して導波光２７となり、光接続することができる。このとき、欠陥故造２４は、中間的な接続場所として提供される中間接続欠陥構造であり、この中間接続欠陥構造を設けることより、この中間接続欠陥導波路２７のバンド特性に対応した光の周波数や群速度遅延や分散に対応した光を選択して接続することができる。この中間的な接続場所への光の接続を経由して、この選択的に接続した光をもとの屈折率分布型欠陥導波路３とは異なるフォトニック結晶欠陥構造を有する欠陥導波路７へ結合させている。この中間的な場所での光２５を再びフォトニック結晶内を導波させることができる。これにより、大きな分散制御効果と群速度遅延効果により光を制御すると同時に、光の周波数に対する選択制御をしたりした上で、この光をフォトニック結晶内で再度利用することにより、複合機能を有する小型の光制御素子を実現することができる。実際の中間接続欠陥構造は、元の屈折率分布型欠陥導波路３とこれとは別のフォトニック結晶欠陥構造を有する欠陥導波路２７の２つにより共振されるので、これら２つの欠陥導波路を含めた構造として最適化設計をすることが好ましい。
【０１１３】
本発明の第１７の実施形態を図２２に基づいて説明する。図２２は、本発明の第１７の実施形態であり、図２１の３つの点欠陥が連続して連なった欠陥構造２４の代わりに２つ孤立した点欠陥２８が存在する。この２つの孤立した点欠陥は、結合欠陥となり、この点欠陥で共振している光３０はさらに元の屈折率分布型欠陥導波路３とこれとは別のフォトニック結晶欠陥構造を有する欠陥導波路２９に結合して導波光３１としてフォトニック結晶内を伝播させることができる。図２２は、中間的な欠陥構造が複数ある場合であり、中間的な欠陥構造は１つに限定されるわけではなく２つ以上あってもよいし、複数個の中間接続欠陥構造が互いに独立して作用してもよいし、図２２のように複合して作用してもよい。また、欠陥構造は、点欠陥構造に限定されるわけではなく、通常の線欠陥からなる欠陥導波ことも波長帯域を広げる上で非常に効果的である。
【０１１４】
［請求項１４に係る発明に対応する実施の形態］
本発明の第１８の実施形態を図２３に基づいて説明する。図２３は、本発明の第１８の実施形態であり、接続欠陥構造が線欠陥よりなる接続欠陥導波路３２である。図２３において、３３はそれぞれの欠陥導波路に元の屈折率分布型欠陥導波路３から結合されて、導波光３３として導波することで光がそれぞれの接続欠陥導波路に接続され、これによりフォトニック結晶内を伝播させることができる。これにより、大きな分散制御効果と群速度遅延効果により光を制御すると同時に、この光をフォトニック結晶内を再度伝播させて他の光制御素子と複合させた光集積素子の小型化を実現したりすることができる。さらに、複数の接続欠陥導波路を用いることにより、これにより、光の周波数に対する選択制御をしたりすることができるようになる。
【０１１５】
本発明の第１９の実施形態を図２４に基づいて説明する。図２４は、本発明の第１９の実施形態であるスラブ型２次元フォトニック結晶からなる光制御素子を模式的に示した構成図であり、３４は屈折率分布を有する薄膜であり、３５は屈折率分布を有しない薄膜であり、２はホールであり、３は欠陥導波路であり、４は欠陥導波路を導波する導波光であり、フォトニック結晶は、高屈折率の材料からなる薄膜３４および薄膜３５と低屈折率の材料となるホール２とから構成され、さらに薄膜３４は、図の左側がこの薄膜３４内において相対的に低屈折率となり右側は同じく相対的に高屈折率となる屈折率分布を有する材料からなる。
【０１１６】
図２４においては、接続欠陥構造が線欠陥よりなる接続欠陥導波路３６であり、３７はそれぞれの欠陥導波路に元の屈折率分布型欠陥導波路３から結合されて、導波光３７として導波することで光がそれぞれの接続欠陥導波路に接続され、これによりフォトニック結晶内を伝播させることができる。このとき、図２４に示すように、接続欠陥導波路を通常の屈折率分布型ではない欠陥導波路で構成してもよい。この場合においても、既に屈折率分布型欠陥導波路が、光の周波数に対してその相対位置により特異な特性を有するようにできるので、接続欠陥導波路に対して光の周波数に対する選択制御をしたりした上で、この光をフォトニック結晶内で再度利用することができ、複数の光制御機能を集積せしめた集積素子の超小型化に非常に有効である。
【０１１７】
［請求項１５に係る発明に対応する実施の形態］
本発明の第２０の実施形態を図２５に基づいて説明する。図２５は、本発明の第２０の実施形態であるスラブ型２次元フォトニック結晶からなる光制御素子を模式的に示した構成図である。図２５においては、３４は屈折率分布を有する薄膜であり、３５は屈折率分布を有しない薄膜であり、２はホールであり、３は欠陥導波路であり、４は欠陥導波を導波する導波光であり、フォトニック結晶は、高屈折率の材料からなる薄膜３４および薄膜３５と低屈折率の材料となるホール２とから構成され、さらに薄膜３４は、図の左側がこの薄膜３４内において相対的に低屈折率となり右側は同じく相対的に高屈折率となる屈折率分布を有する材料からなる。
【０１１８】
図２５においては、接続欠陥構造が線欠陥よりなる接続欠陥導波路３８であり、この接続欠陥導波路３８が元の屈折率分布型欠陥導波路３と方向性結合器となる形状に構成されている。これにより、元の屈折率分布型欠陥導波路３の導波光４は、接続欠陥導波路３９に接続され、方向性結合器として高効率で結合された導波光３９となって、方向としては直進する方向に導波光が伝播する透過型の高光利用効率の光制御素子を提供することができる。これにより、導波光３９の電界強度つまり光量を大きくできるので、ノイズに強い信頼性の高い光制御素子を実現することができる。
【０１１９】
さらに、図２５に示すように、接続欠陥導波路を通常の屈折率分布型ではない欠陥導波路で構成しているので、元の屈折率分布型欠陥導波路が光の周波数に対してその相対位置により異なるバンドを有しており、もう一方の欠陥導波路が一定のバンドを有しており、方向性結合器は導波方向に対して大きい波長に対応した結合効率の制御ができ、波長選択性を向上することができる。
【０１２０】
［請求項１６に係る発明に対応する実施の形態］
本発明の第２１の実施形態を図２６に基づいて説明する。図２６は、本発明の第２１の実施形態であるスラブ型２次元フォトニック結晶からなる光制御素子を模式的に示した構成図であり、図２６においては、１は屈折率分布を有する薄膜であり、２はホールであり、３は欠陥導波路であり、４は欠陥導波路を導波する導波光であり、図２６におけるフォトニック結晶は、高屈折率の材料からなる薄膜と低屈折率の材料となるホール２とから構成され、さらに薄膜１は、図２６中の左側がこの薄膜１内において相対的に低屈折率となり、右側は同じく相対的に高屈折率となる屈折率分布を有する材料からなる。
【０１２１】
図２６においては、接続欠陥構造が屈折率分布型フォトニック結晶内に設けられた線欠陥よりなる屈折率分布型接続欠陥導波路４０であり、この接続欠陥導波路４０が元の屈折率分布型欠陥導波路３と方向性結合器となる形状に構成されている。これにより、元の屈折率分布型欠陥導波路３の導波光４は、接続欠陥導波路４０に接続され、方向性結合器として高効率で結合された導波光４１となって、方向としては直進する方向に導波光が伝播する透過型の高光利用効率の光制御素子を提供することができる。
【０１２２】
また、図２６においては、図２５の場合と異なり、両方の欠陥導波路が屈折率分布型欠陥導波路であるので、両方の欠陥導波路とも光の周波数に対してその相対位置によりバンドを最適に制御することができ、これにより方向性結合器の波長依存性を低減して、広帯域の方向性結合器を実現することもできる。図２６の４２ａ，４２ｂ，４２ｃに示す下向き矢印は、ほぼ同一の屈折率分布を有する屈折率分布型欠陥導波路を用いて方向性結合器を構成した場合の結合の状況を模式的に示すものであり、波長に対応して結合する場所をかえることにより、より広い波長帯域において高効率の光結合を実現することができるようになる。波長に対する結合距離の補正を屈折率分布により最適化することは、さらに広帯域化するためには好ましい。
【０１２３】
本発明の第２２の実施形態を図２７に基づいて説明する。図２７は、本発明の第２２の実施形態であるスラブ型２次元フォトニック結晶からなる光制御素子を模式的に示した構成図であり、図２７においては、接続欠陥導波路がリング形状欠陥導波路４３である。屈折率分布型欠陥導波路の周波数に対する特性が導波方向に対して変化することに加えて、このリング導波路の周回自体の共振効果で、この構造において結合された導波光４４はより高精度の波長選択的な方向性結合を行うことができるようになり、またリング共振器に光が周回するにつれて実効的な光結合効率もより向上することができるようになる。
【０１２４】
［請求項１７、１８、１９に係る発明に対応する実施の形態］
本発明の第２３の実施形態を図２８および図３０に基づいて説明する。図２８は、本発明の第２３の実施形態でありあるスラブ型２次元フォトニック結晶からなる光制御素子を模式的に示した構成図であり、図２８においては、４５および４４は屈折率分布を有する薄膜であり、２はホールであり、３は欠陥導波路であり、４７および４６は欠陥導波路であり、４９および５１はこの欠陥導波路を導波する導波光である。また、欠陥導波路４７および４６は、中央部にフォトニック結晶を構成するホール２よりも微小なホール４８および５０を有している。そして、屈折率分布を有する薄膜４５と薄膜４４とではその屈折率の分布状態が異なり、どちらも図２８中の右の方が低屈折率ではあるものの、下の薄膜４４の方がより低屈折率となるように形成している。また、５２ａ、５２ｂ、５２ｃの矢印は、互いに異なる３つの周波数における方向性結合器による結合の位置を模式的に示したものである。
【０１２５】
図２８における光制御素子は、大きな分散制御効果と群速度遅延効果を有しながらも、双方光伝播する光の分離素子の不要な透過型の利用のしやすい光制御素子を実現することができる。以下にこの原理について説明する。図２８では、２つ屈折率分布型欠陥導波路により方向性結合器が構成されている。このとき、欠陥導波路として中央に微小なホール４８および５０を有しており、この場合の構成としては、バンドとして負の分散を有するバンドと、正の分散を有するバンドの２種類の異なるバンドとなる構成にした。説明のために２種類の異なるバンドを正の勾配のバンドおよび負の勾配のバンドとする。このとき、２つのバンド端は離れているので、２つのバンド端が一致するように、その構造に加えて屈折率分布を最適にした。これは、図２８における薄膜４５と薄膜４４の屈折率分布により実現することができる。より具体的には、相対的に下に位置する正の勾配を有するバンドの位置が上にシフトするように薄膜４４の屈折率を小さくし、相対的に上に位置する負の勾配を有するバンドの位置が下にシフトするように薄膜４５の屈折率を大きくした。この屈折率の最適化は、バンド端がある図右側の屈折率に主に着目して行うことができる。これにより、２つの異なる屈折率分布型欠陥導波路のバンドが、バンド端近傍で一致することができた。
【０１２６】
図３０は、バンド端近傍の光に対して屈折率分布型欠陥導波路を伝播させた場合の光の伝播状態を模式的に示すものである。屈折率分布型フォトニック結晶は、その周期性の欠如により一定のバンド構造を有してはいないが、説明のため導波方向に対しての所定の位置における屈折率がほぼ一定値であるとした場合の位置によって異なるバンドを用いる。図３０において、Ａ〜Ｄは、それぞれ図２８のＡ〜Ｄの位置におけるバンドであり、前述のように上下対称のバンドが、バンド端を一致させている状態にある。屈折率分布型フォトニック結晶においては、周波数が一定であっても欠陥導波路を導波している間にバンド自体が変化することにより、その伝播特性が大きく変わる。
【０１２７】
図３０の実線で示した周波数の場合には、ＡおよびＢでは負の勾配のバンドに従って光が導波するが、このとき勾配が変化することからＡの群速度よりもＢの群速度が小さい、つまり光が徐々にゆっくりと伝播するように変化していくことがわかる。そして、Ｃでは、この光はバンド端に達し、このときの群速度としてはほぼ０であり、光が局在化する。これと同時にこのバンド端では、正の勾配と負の勾配のバンドは波数と周波数が一致するので、方向性結合が生じる。この後、Ｄ、Ｅと光が進行するにつれてその群速度が増加する。つまり、最初に一方の導波路を伝播してきた光は、その進行速度を小さくしながらバンド端に達し、光の停滞状態が生じながらもう一方の導波路に移る。この移った光はバンド端付近の低群速度の影響で進行速度は小さいが、やがてその進行速度を大きくしていきながら伝播していくことがわかる。また、図３０の破線で示した上下も、バンド端に達する位置は異なるものの、ＢまたはＤとそれぞれ異なるものの、実線の場合と同様に伝播していくことが、バンド図よりわかる。
【０１２８】
屈折率変調型欠陥導波路の２つの異なるバンドにおいて、バンド端近傍で重なりを生じることは方向性結合の効率を大きくする上で好ましく、バンド端で一致させることが特に好ましい。これにより、高い光利用効率を実現することができる。また、このときの２つの異なるバンドとして、負の勾配と正の勾配のバンドを用いる場合に超低分散光制御をするためには、バンド端に対して上下略対称であることが好ましく、対称的に一致することが特に好ましい。一致することにより、線形な屈折率分布欠陥導波路の場合に、波長分散を完全に解消することもが見出された。また、一致していなくとも、略上下対称としながらバンド形状を最適化することにより、実質的に超低分散とすることもできる。ここでの略とは、バンド端近傍で特定波数に対して規格化周波数として０．００３以内の一致が好ましく、より好ましくは０．００１以内の一致であり、規格化波数０．４においては、０．００５以内の一致が好ましく、より好ましくは０．００２以内の一致である。
【０１２９】
これらにより、大きな分散制御効果と群速度遅延効果を得ながらも、透過型である利用しやすい光制御素子を提供することができる。さらに、バンド端に対して上下対称とすることにより超低分散の光制御素子を提供することもできる。また、図２８においては、２つの異なる屈折率分布型線欠陥導波路において、正と負の異なる勾配のバンドを有するフォトニック結晶構成に対して、それぞれの屈折率分布を異ならせて最適化することにより、バンド端を位置させ、かつバンド端に対して略上下対称のバンドを実現している。このため、それぞれのホールの配列は共通であり、作製のしやすいフォトニック結晶からなる光制御素子を提供することができる。また、図２８に示す欠陥導波路の中に微小なホールを設けた構成に限定されるわけではなく、正の勾配と負の勾配との２種類の勾配が現れるフォトニック結晶の構成であれば同様に上下対象のバンドを構成できる。
【０１３０】
本発明の第２４の実施形態を図２９に基づいて説明する。図２９は、本発明の第２４の実施形態でありあるスラブ型２次元フォトニック結晶からなる光制御素子を模式的に示した構成図であり、図２９においては、５３は屈折率分布を有する薄膜であり、２はホールであり、３は欠陥導波路であり、５４および５５は欠陥導波路であり、４９および５１はこの欠陥導波路を導波する導波光である。また、欠陥導波路５５は、中央部にフォトニック結晶を構成するホール２よりも微小なホール５６を有している。また、５２ａ、５２ｂ、５２ｃの矢印は、互いに異なる３つの周波数における方向性結合器による結合の位置を模式的に示したものである。
【０１３１】
図２９における光制御素子は、図２８における光制御素子と同様に、バンド端を一致させ、かつバンド端に対して上下対称な形状のバンドを実現できるので、大きな分散制御効果と群速度遅延効果を有しながらも、双方光伝播する光の分離素子の不要な透過型の利用のしやすい光制御素子を実現することができる。図２９では、欠陥導波路５５のみが中央に微小なホール５６を有しており、この場合の構成としては、バンドとして負の分散を有するバンドと、正の分散を有するバンドの２種類の異なるバンドを有している。説明のために２種類の異なるバンドを正の勾配のバンドおよび負の勾配のバンドとする。このとき、２つのバンド端は離れている。一方、単純な屈折利分布型欠陥導波路５４は、正の勾配のバンドは存在しないが負の勾配のバンド端が存在する。このため、その構造に加えて屈折率分布を最適することにより、屈折利分布型欠陥導波路５４における負の勾配のバンドと欠陥導波路５５における正の勾配のバンド端とが一致するようにして、かつ、このバンド端に対して２つのバンドが上下略対称となるようにする。これにより、図２８と同様に、図２９の構成においても、大きな分散制御効果と群速度遅延効果を得ながらも、透過型である利用しやすい光制御素子を提供することができる。さらに、バンド端に対して上下対称とすることにより超低分散の光制御素子を提供することもできる。
【０１３２】
［請求項２０、２１に係る発明に対応する実施の形態］
本発明の第２５の実施形態を図３１および図３２に基づいて説明する。図３１は、本発明の第２５の実施形態でありあるスラブ型２次元フォトニック結晶からなる光制御素子を模式的に示した構成図である。図３１において、１は屈折率分布を有する薄膜であり、２はホールであり、３は欠陥導波路であり、５７および５８は欠陥導波路であり、４および５９はこの欠陥導波路を導波する導波光である。また、６０ａ、６０ｂ、６０ｃの矢印は、互いに異なる３つの周波数における方向性結合器による結合の位置を模式的に示したものである。
【０１３３】
図３１における光制御素子は、大きな分散制御効果と群速度遅延効果を有しながらも、双方光伝播する光の分離素子の不要な入出射導波路の異なる反射型の利用のしやすい光制御素子を実現することができる。以下にこの原理について説明する。図３１では、２つ屈折率分布型欠陥導波路により方向性結合器が構成されている。このとき、２つの欠陥導波路をほぼ同一の構成としているので、そのバンドはほぼ同じである。このとき、この異なる２つの屈折率分布型欠陥導波路のバンドが、バンド端近傍で一致することは容易に可能である。また、バンド端のみならず、バンド全体をほぼ一致させることも容易に可能であり、このような光制御素子を構成する。
【０１３４】
図３１は、このバンド端近傍の光に対して屈折率分布型欠陥導波路を伝播させた場合の光の伝播状態を模式的に示すものである。屈折率分布型フォトニック結晶は、その周期性の欠如により一定のバンド構造を有してはいないが、説明のため導波方向に対しての所定の位置における屈折率がほぼ一定値であるとした場合の位置によって異なるバンドを用いる。図３１において、Ａ〜Ｄは、それぞれ図２８のＡ〜Ｄの位置におけるバンドであり、前述のように上下対称のバンドが、バンド端を一致させている状態にある。屈折率分布型フォトニック結晶においては、周波数が一定であっても欠陥導波路を導波している間にバンド自体が変化することにより、その伝播特性が大きくかわる。
【０１３５】
図３２の実線で示した周波数の場合には、ＡおよびＢでは負の勾配のバンドに従って光が導波するが、このとき勾配が変化することからＡの群速度よりもＢの群速度が小さい、つまり光が徐々にゆっくりと伝播するように変化していくことがわかる。そして、Ｃでは、この光はバンド端に達し、このときの群速度としてはほぼ０であり、光が局在化する。これと同時にこのバンド端では、正の勾配と負の勾配のバンドは波数と周波数が一致するので、方向性結合が生じる。この後、光は逆方向に進行し、Ｄではなく矢印で示されるよう再びＢの状態になる。Ｂへと光が逆方向に進行するにつれてその群速度が増加する。つまり、最初に一方の導波路を伝播してきた光は、その進行速度を小さくしながらバンド端に達し、光の停滞状態が生じながらもう一方の導波路に移る。この移った光はバンド端付近の低群速度の影響で進行速度は小さいが、やがてその進行速度を大きくしていきながら伝播していくことがわかる。また、図３０の破線で示した上下も、バンド端に達する位置は異なるものの、ＢまたはＤとそれぞれ異なるものの、実線の場合と同様に伝播していくことが、バンド図よりわかる。
【０１３６】
本発明においては、超分散としての群速度遅延を行うのではなく、広く分散制御をするためとしては、屈折率分布型欠陥導波路のバンドがバンド端近傍で重なっていればよく、図３２に示すようにバンドがほぼ一致して重なっている必要はない。また、方向性結合器による結合の結合効率を大きくするために、フォトニック結晶の構成を非対称性にして、バンドを一致させない部分を設けることも効果的である。
【０１３７】
屈折率変調型欠陥導波路の２つの異なるバンドにおいて、バンド端近傍で重なりを生じることは方向性結合の効率を大きくする上で好ましく、バンド端で一致させることが特に好ましい。これにより、高い光利用効率を実現することができる。また、このときの２つの異なるバンドとして、負の勾配となる２つのバンドを用いる場合に超低分散光制御をするためには、バンド端付近を基準に略一致した形状であることが好ましく、一致していることが特に好ましい。一致することにより、線形な屈折率分布欠陥導波路の場合に、波長分散を完全に解消することもが見出された。また、一致していなくとも、略一致させるようなバンド形状とすることにより、実質的に超低分散とすることもできる。ここでの略とは、バンド端近傍で特定波数に対して規格化周波数として０．００３以内の一致が好ましく、より好ましくは０．００１以内の一致であり、規格化波数０．４においては、０．００５以内の一致が好ましく、より好ましくは０．００２以内の一致である。
【０１３８】
［請求項２２、２３に係る発明に対応する実施の形態］
本発明の第２６の実施形態を図３３に基づいて説明する。図３３は、本発明の第２６の実施形態であるスラブ型２次元フォトニック結晶からなる光制御素子を模式的に示した構成図である。図３３においては、１は屈折率分布を有する薄膜であり、６１は屈折率が均一な薄膜であり、２はホールであり、３は欠陥導波路であり、４および６２は欠陥導波路であり、４、１６、６３および６４はこの欠陥導波路を導波する導波光である。また、１７ａ、１７ｂ、１７ｃの矢印は、互いに異なる３つの周波数における方向性結合器による結合の位置を模式的に示したものである。また、図３３において、６４は、図４と同じバンド端を利用する周波数に対して有する屈折率分布型欠陥導波であり、６５は従来の屈折率差が均一の欠陥導波路である。本発明の光制御素子は、屈折率分布型欠陥導波路と単純な欠陥導波路を組み合わせることにより実現される。
【０１３９】
図３３におけるこの光制御素子は、大きな分散制御効果と群速度遅延効果をより高精度に制御する光制御素子を実現することができ、この原理を以下に説明する。屈折率分布型欠陥導波は、超低分散で短パルスの遅延量を制御したり、その分散量を高精度に制御したりすることができるが、遅延量と分散を同時に高精度に制御することは難しい。しかし、外部にべつの分散と遅延を与える分散と遅延の傾向が異なる光制御素子を補正素子として付加することにより、遅延量と分散量を同時に高精度に制御できるようになることを見出した。このような分散補償素子の補正素子としては、チャープ型グレーティングや光ファイバを用いることができ非常に効果的である。さらに、小型高性能の補正形素子としては、屈折率一定の材料からなるフォトニック結晶による欠陥導波路が最適であった。これは、屈折率が均一の通常のフォトニック結晶欠陥導波路の分散特性と群速度遅延特性が、他の補正素子と比べると、図１、図９、図２８、図３１等で示す屈折率分布型欠陥導波路と非常に類似しており、正および負の分散補償、さらには高次の分散補償を用いた補正可能であったことによる。また、これらの組み合わせ方は、端面結合に限定されるものではなく、光ファイバやレンズにより光結合させて用いても良い。また、後補償に限定されるものでもない、補正効果を考慮して前補償や両方の補償を組み合わせてもよい。これらにより、パルスを変形させることなく群遅延を与えることができる。また、図２８における屈折率分布型欠陥導波路の上下のバンドが非対称な場合においても、入射側に分散を調整する補正素子を直結することにより超低分散を実現できる。また、あらかじめ積極的に、上下のバンドが非対称にしておいて、補正素子と組み合わせることにより、所定の値の群速度遅延量と分散量を得ることも可能である。さらには、これらの補正素子および屈折率分布型欠陥導波路を、電気光学効果や非線形光学効果や温度変化により外部から制御することにより、アクティブ素子として用いることも非常に効果的である。
【０１４０】
本発明の第２７の実施形態を図１２（ｃ）に基づいて説明する。図１２中の（ｃ）は、本発明の第２７の実施形態であり、本発明による大きな分散制御と群速度遅延効果を示すものである。図１２中の（ｃ）は、図３３に示される屈折率分布型フォトニック結晶と通常の屈折率が一定のフォトニック結晶による補正素子とからなる光制御素子である。薄膜１の有効屈折率分布は補正素子からの入射位置に相当する部分で屈折率値が２．９６３であり、この屈折率値は線形で連続的に減少されており、バンド端付近の屈折率値で２．８００である構造を有している。このときの、屈折率差分布のある欠陥導波路長は４０μｍである。また、ホールの周期ａ値は０．３９μｍであり、ホールの径は直径２ｒ値で０．３９μｍである。薄膜６１の屈折率値は２．９６３であり、この屈折率値が一定となる構造を有している。このときの、屈折率一定の欠陥導波路長は４０μｍである。
【０１４１】
図１２中の（ｃ）は、この構造を有する光制御素子に対して、屈折率分布型欠陥導波路のバンド端を有する周波数で、約３００ｆｓの短パルス入射せしめた場合の光の伝播状態を示している。図の横軸はフォトニック結晶中の短パルスの入射位置を基準とした相対座標であり、縦軸は電界強度である。また、導波路に入射させた光の周波数は、波長として１．５５μｍである。このときの短パルス光の幅は半値全幅ＦＷＨＭで２６６ｆｓであり、伝播する群速度に対応した相対位置座標として横軸方向の幅でこのパルスの幅が示され、この幅により分散量を知ることができる。本発明の光制御素子による光の伝播特性は、ＦＤＴＤシミュレーションを用いた数値計算により求めた。
【０１４２】
図１２中の（ｃ）において、短パルス光は広がった波長帯域を有しており波長分散つまりは周波数分散の影響を大きく受けやすいにも拘らず、本発明の光制御素子を用いた場合には、入射２６６ｆｓに対して、補正素子を透過させると一旦分散量が４６０ｆｓと増加するが、この後に屈折率分布型欠陥導波路により３００ｆｓと、短パルスが時間領域でほとんど広がっていない。さらに、再度補正素子を透過させると３９０ｆｓと若干にパルスが広がる。このときの、補正素子を含む光制御素子全体での往復で６．１０ｐｓであり、図１２中の（ｂ）に示したような、単に屈折率分布型欠陥導波路を用いた場合よりも、群速度遅延をより大きくしてかつ分散を小さくすることが同時に可能なことが見出され、非常に大きな分散制御と群速度遅延効果を高精度に補正できる超小型の光制御素子を提供することができることがわかった。本発明は、補正素子を往復させることに限定されるものではなく、往路のみ補正素子を用いて、より大きい分散制御特性を発現させることも効果的である。
【０１４３】
本発明の第２８の実施形態を図１２（ｄ）に基づいて説明する。図１２中の（ｄ）は、本発明の第２８の実施形態であり、本発明による大きな分散制御と群速度遅延効果を示すものである。図１２中の（ｄ）は、図３３に示される屈折率分布型フォトニック結晶と通常の屈折率が一定のフォトニック結晶による補正素子とからなる光制御素子である。薄膜１の有効屈折率分布は補正素子からの入射位置に相当する部分で屈折率値が２．９６３であり、この屈折率値は線形で連続的に減少されており、バンド端付近の屈折率値で２．８００である構造を有している。このときの、屈折率差分布のある欠陥導波路長は８０μｍである。また、ホールの周期ａ値は０．３９μｍであり、ホールの径は直径２ｒ値で０．３９μｍである。薄膜６１の屈折率値は２．９６３であり、この屈折率値が一定となる構造を有している。このときの、屈折率一定の欠陥導波路長は４０μｍである。１０ｐｓの非常に多いな遅延に対して、屈折率一定の欠陥導波路と、屈折率分布欠陥導波路長を組み合わせたものである。他は、図１２中の（ｃ）と同様である。
【０１４４】
図１２中の（ｄ）において、短パルス光は広がった波長帯域を有しており波長分散つまりは周波数分散の影響を大きく受けやすいにも拘らず、本発明の光制御素子を用いた場合には、入射２６６ｆｓに対して、補正素子を透過させると一旦分散量が５６０ｆｓと増加するが、この後に屈折率分布型欠陥導波路により若干に圧縮され、再度補正素子を透過させると３００ｆｓと若干に元と同程度となる。このときの、補正素子を含む光制御素子全体での往復で１０．２０ｐｓであり、図１２中の（ｃ）よりも屈折率分布型欠陥導波路部分を長くしたにも拘らず、大きな分散制御と群速度遅延効果を高精度に補正できる超小型の光制御素子を提供することができることがわかった。
【０１４５】
［請求項２４に係る発明に対応する実施の形態］
本発明の第２９の実施形態を図３４に基づいて説明する。図３４は、本発明の第２９の実施形態であるスラブ型２次元フォトニック結晶からなる光制御素子を模式的に示した構成図であり、図３３に示す補正素子を有する光学制御素子に対して、この補正素子部分に、波長帯域測定手段、分散補正量決定手段、温度制御手段からなる分散補償補正量可変手段６９を設けたものであり、６６は光制御素子への入射光であり、６７はこの一部を分岐して分散補償補正量可変手段６９の波長帯域測定手段に伝送する手段であり、６８は光制御素子からの出射光である。
【０１４６】
図３４において、分散補償補正量可変手段６９は、光学制御素子への入射波長を検出し、このデータに応じて分散補正量決定手段が分散補正量を決定し、このデータに対応して温度制御手段が補正素子の温度制御を行う。これにより、波長が変動しても常に良好な分散制御と遅延時間制御を行うことができる。波長帯域測定手段に加えて入射光の分散測定手段を設けて、適切な分散制御を行うことも効果的である。この補正素子を制御する手段は、温度制御手段に限定されるものではなく、電気光学効果、磁気光学効果、非線形光学効果その他種々の屈折率や導波路中の電磁界強度を変化させる手段を用いることができる。これにより、より一層に高精度に分散制御と群速度制御をできるようになる。
【０１４７】
［請求項２５に係る発明に対応する実施の形態］
本発明の第３０の実施形態を図３５に基づいて説明する。図３５は、本発明の第３０の実施形態であるスラブ型２次元フォトニック結晶からなる光制御素子であり、図９に示した屈折率分布型欠陥導波路を非線形材料により形成し、これを用いて構成した光―光変調機能を有する光制御素子を構成し模式的に示したものである。図示はしていないが、膜厚を制御することにより、屈折率分布を設けている。図３５においては、７１として連続光からなる光を光制御素子へ入射させ、通常はバンド端により反射され７２として出射している。このときに、ほぼ周波数が７１と同様で若干に高い光からなるパルス光７０を光制御素子へ入射させる。この７１の光はバンド端に近い光であるので、群速度が非常に遅延され非線形効果が増大される。また、連続光として入射している７１はバンド端で光が停滞しており、この場合も非線形光学効果が増大されているがパルス光の方の光強度を大きくしておくことが好ましい。そして、パルス光が入射され、この光により、連続光７１に対応したバンドが屈折率が増加して下がると、バンド端による反射がなくなり、連続光７１がパルス光として出射される。これにより、一種の光―光スイッチもしくは光変調器が実現できる。
【０１４８】
この非線形材料からなる屈折率分布型欠陥導波路は、上記のバンド端を用いた光変調器または光スイッチに限定されるわけではなく、波長変換、光スイッチ、四光波混合、光変調、光メモリ、光遅延素子等の非線形光学効果を利用した素子に使用することにより、その光学定数を群速度遅延により２〜４桁以上向上でき、性能の飛躍的向上を実現できる。
【０１４９】
［請求項２６に係る発明に対応する実施の形態］
本発明の第３１の実施形態を図３６に基づいて説明する。図３６は、本発明の第３１の実施形態であるスラブ型２次元フォトニック結晶からなる光制御素子であり、図９に示した屈折率分布型欠陥導波路を電気光学材料により形成し、これを用いて構成した電気―光変調機能を有する光制御素子を構成しこれを模式的に示したものである。図示はしていないが、膜厚を制御することによりピラー構造の高さが連続的に変化しており、屈折率分布を設けている。７７は電気光学結晶からなり、７６および７８は絶縁誘電体、７５，７９は電極であり、８０は基板である。左から入射した連続光は、欠陥導波路内のバンド端により反射されている。このとき、上限の電極間に電圧を印加することにより、バンド端を下げることによりバンド端反射をなくして、連続光を光変調することができる。
【０１５０】
この電気光学材料からなる屈折率分布型欠陥導波路は、上記のバンド端を用いた光変調器に限定されるわけではなく、波長変換、光スイッチ、光変調、光メモリ、光遅延素子等の電気光学効果を利用した素子に使用することにより、その光学定数を群速度遅延により超小型を実現でき、その性能の飛躍的向上を実現できる。
【０１５１】
［請求項２７に係る発明に対応する実施の形態］
本発明の第３２の実施形態を図３７に基づいて説明する。図３７は、本発明の第３２の実施形態であるスラブ型２次元フォトニック結晶からなる光制御素子であり、図９に示した屈折率分布型欠陥導波路を磁気光学材料により形成し、これを用いて構成した磁気―光変調機能を有する光制御素子を構成しこれを模式的に示したものである。図示はしていないが、膜厚を制御することによりピラー構造の高さが連続的に変化しており、屈折率分布を設けている。８１は磁気光学結晶からなり、７４は高周波信号印加手段でり、７３は磁界発生手段である。左から入射した連続光７１は、欠陥導波路内のバンド端により反射され７２となって出射されている。このとき、高周波信号印加手段７４からの電圧に基づいて磁界発生手段７３が磁界を発生することにより、偏光回転が生じ、フォトニック結晶中に存在できなくなった光が光の停滞している素子右側から相対的に強く発散的に放出される。これにより、磁気―光変調機能を有する光制御素子を構成できる。
【０１５２】
この磁気光学材料からなる屈折率分布型欠陥導波路は、上記のバンド端を用いた光変調器に限定されるわけではなく、波長変換、光スイッチ、光変調、光メモリ、光遅延素子等の磁気光学効果を利用した素子に使用することにより、その光学定数を群速度遅延により超小型を実現でき、その性能の飛躍的向上を実現できる。
【０１５３】
［請求項２８に係る発明に対応する実施の形態］
本発明の第３３の実施形態を図３８に基づいて説明する。図３８は、本発明の第３３の実施形態であるスラブ型２次元フォトニック結晶からなる光制御素子であり、図９に示した屈折率分布型欠陥導波路を形成したものである。図示はしていないが、膜厚を制御することによりピラー構造の高さが連続的に変化しており、屈折率分布を設けている。また、図３８において、分散補償量可変手段７３は、光学制御素子への入射波長を検出し、このデータに応じて分散補償量決定手段が分散補償量を決定し、このデータに対応して温度制御手段が光制御素子の温度制御を行う。これにより、波長が変動しても常に良好な分散制御と遅延時間制御を行うことができる。波長帯域測定手段に加えて入射光の分散測定手段を設けて、適切な分散制御を行うことも効果的である。また、温度制御を反射率や透過率の制御に用いることにより、超小型のアッテネータを実現することもできる。
【図面の簡単な説明】
【０１５４】
【図１】本発明の第１の実施形態であるスラブ型２次元フォトニック結晶からなる光制御素子を示す模式図である。
【図２】スラブ型２次元フォトニック結晶からなる光制御素子の側面の一例を示す模式図である。
【図３】欠陥のない一般的なフォトニック結晶の周期性のある配列を説明する模式図である。
【図４】図３に示す欠陥のないフォトニック結晶内を伝播可能な光のバンドを示したフォトニック結晶の模式図である。
【図５】欠陥導波路を有するフォトニック結晶により生じるバンドを説明する模式図である。
【図６】本発明の第２の実施形態であるスラブ型２次元フォトニック結晶からなる光制御素子を示す模式図である。
【図７】（ａ）は本発明の第２の実施形態であるスラブ型２次元フォトニック結晶からなる光制御素子の実効屈折率差を模式的に示すグラフ、（ｂ）は本発明の第３の実施形態であるスラブ型２次元フォトニック結晶からなる光制御素子の実効屈折率差を模式的に示すグラフである。
【図８】本発明の第４の実施形態であるスラブ型２次元フォトニック結晶からなる光制御素子の実効屈折率差を模式的に示すグラフである。
【図９】本発明の第５の実施形態であるスラブ型２次元フォトニック結晶からなる光制御素子を示す模式図である。
【図１０】欠陥導波路を有するフォトニック結晶により生じるバンドを説明する模式図である。
【図１１】本発明の第５の実施形態となる図９および図１０のバンド図を示す屈折率分布型フォトニック結晶の光の伝播特性を説明するため、このフォトニック結晶内における導波方向でのバンド図の変化を示すグラフである。
【図１２】（ａ）のデータは本発明の第６の実施形態として、本発明による大きな分散制御と群速度遅延効果を示すグラフ、（ｂ）のデータは、本発明の第７の実施形態として、本発明による大きな分散制御と群速度遅延効果を示すグラフ、（ｃ）のデータは本発明の第２７の実施形態として、本発明による大きな分散制御と群速度遅延効果を示すグラフ、（ｄ）のデータは、本発明の第２８の実施形態として、本発明による大きな分散制御と群速度遅延効果を示すグラフである。
【図１３】本発明の第８の実施形態として、スラブ型２次元フォトニック結晶からなる光制御素子の側面の一例を示す模式図である。
【図１４】本発明の第９の実施形態である屈折率分布型フォトニック結晶を用いた光制御素子を示す模式図である。
【図１５】本発明の第１０の実施形態として、スラブ型２次元フォトニック結晶からなる光制御素子を示す模式図である。
【図１６】本発明の第１１の実施形態として、スラブ型２次元フォトニック結晶からなる光制御素子を示す模式図である。
【図１７】本発明の第１２の実施形態として、スラブ型２次元フォトニック結晶からなる光制御素子を示す模式図である。
【図１８】本発明の第１３の実施形態として、スラブ型２次元フォトニック結晶からなる光制御素子を示す模式図である。
【図１９】本発明の第１４の実施形態として、スラブ型２次元フォトニック結晶からなる光制御素子を示す模式図である。
【図２０】本発明の第１５の実施形態として、スラブ型２次元フォトニック結晶からなる光制御素子を示す模式図である。
【図２１】本発明の第１６の実施形態として、スラブ型２次元フォトニック結晶からなる光制御素子を示す模式図である。
【図２２】本発明の第１７の実施形態として、スラブ型２次元フォトニック結晶からなる光制御素子を示す模式図である。
【図２３】本発明の第１８の実施形態として、スラブ型２次元フォトニック結晶からなる光制御素子を示す模式図である。
【図２４】本発明の第１９の実施形態として、スラブ型２次元フォトニック結晶からなる光制御素子を示す模式図である。
【図２５】本発明の第２０の実施形態として、スラブ型２次元フォトニック結晶からなる光制御素子を示す模式図である。
【図２６】本発明の第２１の実施形態として、スラブ型２次元フォトニック結晶からなる光制御素子を示す模式図である。
【図２７】本発明の第２２の実施形態として、スラブ型２次元フォトニック結晶からなる光制御素子を示す模式図である。
【図２８】本発明の第２３の実施形態として、スラブ型２次元フォトニック結晶からなる光制御素子を示す模式図である。
【図２９】本発明の第２４の実施形態として、スラブ型２次元フォトニック結晶からなる光制御素子を示す模式図である。
【図３０】バンド端近傍の光に対して屈折率分布型欠陥導波路を伝播させた場合の光の伝播状態を示す模式図である。
【図３１】本発明の第２５の実施形態として、スラブ型２次元フォトニック結晶からなる光制御素子を示す模式図である。
【図３２】バンド端近傍の光に対して屈折率分布型欠陥導波路を伝播させた場合の光の伝播状態を示す模式図である。
【図３３】本発明の第２６の実施形態として、スラブ型２次元フォトニック結晶からなる光制御素子を示す模式図である。
【図３４】本発明の第２９の実施形態として、スラブ型２次元フォトニック結晶からなる光制御素子を示す模式図である。
【図３５】本発明の第３０の実施形態として、スラブ型２次元フォトニック結晶からなる光制御素子を示す模式図である。
【図３６】本発明の第３１の実施形態として、スラブ型２次元フォトニック結晶からなる光制御素子を示す模式図である。
【図３７】本発明の第３２の実施形態として、スラブ型２次元フォトニック結晶からなる光制御素子を示す模式図である。
【図３８】本発明の第３３の実施形態として、スラブ型２次元フォトニック結晶からなる光制御素子を示す模式図である。
【図３９】特許文献３に記載されている結合欠陥導波路を用いた分散補償器を示す模式図である。
【符号の説明】
【０１５５】
２、４８、５０    フォトニック結晶の孔（ホール）
３    欠陥導波路、屈折率分布型欠陥導波路
７、２７、２９    別のフォトニック結晶欠陥構造（欠陥導波路、屈折率分布型欠陥導波）
３８    方向性結合器（接続欠陥導波路）
４０、４３、４６、４７    別の屈折率分布型欠陥導波路
６９    分散補償補正を行う量を可変制御する手段（分散補償補正量可変手段）
６９    温度制御手段（分散補償補正量可変手段）
【図１】
2005181950.tif 000003
【図２】
2005181950.tif 000004
【図３】
2005181950.tif 000005
【図４】
2005181950.tif 000006
【図５】
2005181950.tif 000007
【図６】
2005181950.tif 000008
【図７】
2005181950.tif 000009
【図８】
2005181950.tif 000010
【図９】
2005181950.tif 000011
【図１０】
2005181950.tif 000012
【図１１】
2005181950.tif 000013
【図１２】
2005181950.tif 000014
【図１３】
2005181950.tif 000015
【図１４】
2005181950.tif 000016
【図１５】
2005181950.tif 000017
【図１６】
2005181950.tif 000018
【図１７】
2005181950.tif 000019
【図１８】
2005181950.tif 000020
【図１９】
2005181950.tif 000021
【図２０】
2005181950.tif 000022
【図２１】
2005181950.tif 000023
【図２２】
2005181950.tif 000024
【図２３】
2005181950.tif 000025
【図２４】
2005181950.tif 000026
【図２５】
2005181950.tif 000027
【図２６】
2005181950.tif 000028
【図２７】
2005181950.tif 000029
【図２８】
2005181950.tif 000030
【図２９】
2005181950.tif 000031
【図３０】
2005181950.tif 000032
【図３１】
2005181950.tif 000033
【図３２】
2005181950.tif 000034
【図３３】
2005181950.tif 000035
【図３４】
2005181950.tif 000036
【図３５】
2005181950.tif 000037
【図３６】
2005181950.tif 000038
【図３７】
2005181950.tif 000039
【図３８】
2005181950.tif 000040
【図３９】
2005181950.tif 000041